(57)【要約】【課題】葬儀式場において故人の各種の葬儀情報を会葬者に知らせることができ、葬儀の演出効果を高めることができる葬儀支援システムを提供する。【解決手段】葬儀支援システム１０は、複数の故人の葬儀に関する各種複数の葬儀情報を管理する管理コンピュータ１１と、コンピュータ１１に所定のネットワーク１９を介して接続された斎場サーバ１２Ａ，１２Ｂと、斎場サーバ１２Ａ，１２Ｂに接続されたディスプレイ１３Ｂとから形成されている。葬儀支援システム１０では、コンピュータ１１が葬儀情報をネットワーク１９を介して各斎場の斎場サーバ１２Ａ，１２Ｂに送信し、斎場サーバ１２Ａ，１２Ｂがコンピュータ１１から送信された葬儀情報を各葬儀式場毎に区分して記憶するとともに、記憶した葬儀情報を葬儀の進行中に各葬儀式場に設置されたディスプレイ１３Ｂを介してそれら葬儀式場毎に出力する。【選択図】図１
2011172846.tif 000002
【特許請求の範囲】
【請求項１】
葬儀を行う斎場から離間したシステム運営者側に設置され、複数の故人の葬儀に関する各種複数の葬儀情報を管理する管理コンピュータと、複数の前記斎場に設置されて前記管理コンピュータに所定のネットワークを介して接続された斎場サーバと、前記斎場内の複数の葬儀式場に設置されて前記斎場サーバに接続された出力装置とから形成され、
前記管理コンピュータが、前記葬儀情報を各斎場毎であって各葬儀式場毎に区分しつつ、該葬儀情報をネットワークを介して各斎場の前記斎場サーバに送信し、前記斎場サーバが、前記管理コンピュータから送信された前記葬儀情報を前記故人の葬儀を行う各葬儀式場毎に区分して記憶する葬儀情報記憶手段と、前記葬儀情報記憶手段によって記憶した葬儀情報を葬儀の進行中に各葬儀式場に設置された前記出力装置を介してそれら葬儀式場毎に出力する葬儀情報出力手段とを有する葬儀支援システム。
【請求項２】
前記葬儀情報には、前記故人の生前における各種複数の個人データが含まれ、前記葬儀情報出力手段が、前記個人データを前記葬儀の進行中に前記出力装置を介して所定の時間間隔で順次出力する請求項１に記載の葬儀支援システム。
【請求項３】
前記葬儀情報には、前記故人に送られた複数の弔辞および弔電が含まれ、前記葬儀情報出力手段が、前記弔辞および弔電を前記葬儀の進行中に前記出力装置を介して所定の時間間隔で順次出力する請求項１または請求項２に記載の葬儀支援システム。
【請求項４】
前記管理コンピュータが、前記個人データと前記弔辞および弔電とを表示した葬儀台帳を作成する葬儀台帳作成手段と、作成した葬儀台帳を出力する葬儀台帳出力手段とを有する請求項３に記載の葬儀支援システム。
【請求項５】
前記葬儀情報には、前記故人の通夜における通夜進行予定が含まれ、前記葬儀情報出力手段が、前記通夜進行予定を前記故人の通夜における葬儀式場に設置された前記出力装置を介して出力する請求項１ないし請求項４いずれかに記載の葬儀支援システム。
【請求項６】
前記葬儀情報には、前記故人の告別式における告別式進行予定が含まれ、前記葬儀情報出力手段が、前記告別式進行予定を前記故人の告別式における葬儀式場に設置された前記出力装置を介して出力する請求項１ないし請求項４いずれかに記載の葬儀支援システム。
【請求項７】
前記葬儀情報には、前記葬儀に参列した複数の会葬者の氏名および住所が含まれ、前記システムが、所定のドットパターンを印刷した会葬者名簿と、前記氏名および住所の前記会葬者名簿への記帳と同時にそれら氏名および住所を読み取り、読み取った氏名および住所を電子データとして前記斎場サーバへ出力する電子ペンとを備え、前記斎場サーバが、電子ペンから出力された会葬者の氏名および住所を前記コンピュータに送信し、前記管理コンピュータが、前記斎場サーバから送信された前記会葬者の氏名および住所を表示した会葬者台帳を作成する会葬者台帳作成手段と、作成した前記会葬者台帳を出力する会葬者台帳出力手段とを有する請求項１ないし請求項６いずれかに記載の葬儀支援システム。
【請求項８】
前記葬儀情報には、前記会葬者から受け取った香典の香典金額が含まれ、前記システムが、所定のドットパターンを印刷した香典目録を備え、前記電子ペンが、前記香典金額の香典目録への記載と同時にそれら香典金額を読み取り、読み取った香典金額を電子データとして前記斎場サーバへ出力し、前記斎場サーバが、電子ペンから出力された香典金額を前記コンピュータに送信し、前記管理コンピュータが、前記斎場サーバから送信された前記会葬者の氏名および住所と前記香典金額とを対応させつつ、香典金額合計と香典を金額毎に区分した香典内訳とを表示した香典台帳を作成する香典台帳作成手段と、作成した香典台帳を出力する香典台帳出力手段とを有する請求項７に記載の葬儀支援システム。
【請求項９】
前記システムが、前記斎場サーバに接続されて前記故人の遺影写真を表示するデジタルフォトフレームを備え、前記葬儀情報には、前記故人の複数の遺影写真が含まれ、前記葬儀情報出力手段が、それら遺影写真を前記葬儀の進行中に前記デジタルフォトフレームを介して所定の時間間隔で順次出力する請求項１ないし請求項８いずれかに記載の葬儀支援システム。
【発明の詳細な説明】
【技術分野】
【０００１】
本発明は、故人の各種複数の葬儀情報を管理しつつ、それら葬儀情報を出力する葬儀支援システムに関する。
【背景技術】
【０００２】
所定の送信者が遺影写真データをネットワークを介して処理コンピュータに送信し、処理コンピュータが遺影写真を主遺影写真データと複数のスライド遺影写真データとに編集するとともに、主遺影写真データとそれらスライド遺影写真データとをネットワークを介して送信者に返信し、送信者が主遺影写真データとそれらスライド遺影写真データとを映像再生装置を介して葬儀の場で切替ながら表示する遺影写真の表示方法がある（特許文献１参照）。この遺影写真の表示方法は、遺影の各種演出サービスを提供することができるという効果を有する。
【先行技術文献】
【特許文献】
【０００３】
【特許文献１】特開２００２−２３３４４８号公報
【発明の概要】
【発明が解決しようとする課題】
【０００４】
前記特許文献１に開示の遺影写真の表示方法は、故人の遺影を主遺影写真データと複数のスライド遺影写真データとに編集することで、映像再生装置に故人の複数の遺影を表示することができる。しかし、故人の遺影のみしか表示することができず、その故人の各種の葬儀情報が表示されることはないから、葬儀式場において会葬者にその故人の各種の葬儀情報を知らせることができない。
【０００５】
本発明の目的は、葬儀式場において故人の各種の葬儀情報を会葬者に知らせることができ、葬儀の演出効果を高めることができる葬儀支援システムを提供することにある。
【課題を解決するための手段】
【０００６】
前記課題を解決するための本発明の特徴は、葬儀を行う斎場から離間したシステム運営者側に設置され、複数の故人の葬儀に関する各種複数の葬儀情報を管理する管理コンピュータと、複数の斎場に設置されて管理コンピュータに所定のネットワークを介して接続された斎場サーバと、斎場内の複数の葬儀式場に設置されて斎場サーバに接続された出力装置とから形成され、管理コンピュータが、葬儀情報を各斎場毎であって各葬儀式場毎に区分しつつ、葬儀情報をネットワークを介して各斎場の斎場サーバに送信し、斎場サーバが、管理コンピュータから送信された葬儀情報を故人の葬儀を行う各葬儀式場毎に区分して記憶する葬儀情報記憶手段と、葬儀情報記憶手段によって記憶した葬儀情報を葬儀の進行中に各葬儀式場に設置された出力装置を介してそれら葬儀式場毎に出力する葬儀情報出力手段とを有する。
【０００７】
本発明の葬儀支援システムの一例として、葬儀情報には、故人の生前における各種複数の個人データが含まれ、葬儀情報出力手段が個人データを葬儀の進行中に出力装置を介して所定の時間間隔で順次出力する。
【０００８】
本発明の葬儀支援システムの他の一例として、葬儀情報には、故人に送られた複数の弔辞および弔電が含まれ、葬儀情報出力手段が弔辞および弔電を葬儀の進行中に出力装置を介して所定の時間間隔で順次出力する。
【０００９】
本発明の葬儀支援システムの他の一例としては、管理コンピュータが、個人データと弔辞および弔電とを表示した葬儀台帳を作成する葬儀台帳作成手段と、作成した葬儀台帳を出力する葬儀台帳出力手段とを有する。
【００１０】
本発明の葬儀支援システムの他の一例として、葬儀情報には、故人の通夜における通夜進行予定が含まれ、葬儀情報出力手段が通夜進行予定を故人の通夜における葬儀式場に設置された出力装置を介して出力する。
【００１１】
本発明の葬儀支援システムの他の一例として、葬儀情報には、故人の告別式における告別式進行予定が含まれ、葬儀情報出力手段が告別式進行予定を故人の告別式における葬儀式場に設置された出力装置を介して出力する。
【００１２】
本発明の葬儀支援システムの他の一例として、葬儀情報には、葬儀に参列した複数の会葬者の氏名および住所が含まれ、システムが、所定のドットパターンを印刷した会葬者名簿と、氏名および住所の会葬者名簿への記帳と同時にそれら氏名および住所を読み取り、読み取った氏名および住所を電子データとして斎場サーバへ出力する電子ペンとを備え、斎場サーバが電子ペンから出力された会葬者の氏名および住所をコンピュータに送信し、管理コンピュータが、斎場サーバから送信された会葬者の氏名および住所を表示した会葬者台帳を作成する会葬者台帳作成手段と、作成した会葬者台帳を出力する会葬者台帳出力手段とを有する。
【００１３】
本発明の葬儀支援システムの他の一例として、葬儀情報には、会葬者から受け取った香典の香典金額が含まれ、システムが所定のドットパターンを印刷した香典目録を備え、電子ペンが香典金額の香典目録への記載と同時にそれら香典金額を読み取り、読み取った香典金額を電子データとして斎場サーバへ出力し、斎場サーバが電子ペンから出力された香典金額をコンピュータに送信し、管理コンピュータが、斎場サーバから送信された会葬者の氏名および住所と香典金額とを対応させつつ、香典金額合計と香典を金額毎に区分した香典内訳とを表示した香典台帳を作成する香典台帳作成手段と、作成した香典台帳を出力する香典台帳出力手段とを有する。
【００１４】
本発明の葬儀支援システムの他の一例としては、システムが斎場サーバに接続されて故人の遺影写真を表示するデジタルフォトフレームを備え、葬儀情報には、故人の複数の遺影写真が含まれ、葬儀情報出力手段がそれら遺影写真を葬儀の進行中にデジタルフォトフレームを介して所定の時間間隔で順次出力する。
【発明の効果】
【００１５】
本発明にかかる葬儀支援システムによれば、故人の葬儀情報を葬儀の進行中に葬儀式場において出力装置を介して出力するから、会葬者に故人の葬儀情報を葬儀式場において知らせることができ、会葬者が故人の葬儀情報を確認しつつ生前の故人を偲ぶことができ、葬儀の演出効果を高めることができる。葬儀支援システムは、各斎場毎に管理コンピュータを設置する必要はなく、運営者側に設置されたコンピュータのみを使用し、複数の故人の各種複数の葬儀情報を一元的に管理することができ、ネットワークを介して複数の斎場の複数の葬儀式場において各故人の葬儀情報を同時かつ個別に出力することができる。この葬儀支援システムは、複数の斎場の複数の葬儀式場においてそれら葬儀式場に対応する複数の故人の葬儀情報を個別に出力することができるから、複数の葬儀式場において複数の葬儀が同時に行われる斎場に最適に利用することができる。
【００１６】
葬儀情報として故人の生前における各種複数の個人データが含まれ、個人データを葬儀の進行中に出力装置を介して所定の時間間隔で順次出力する葬儀支援システムは、故人の生前におけるプロフィールや経歴、思い出等の各種の個人データを出力するから、故人の生前を知らない会葬者にその故人のプロフィールや経歴、思い出等を葬儀式場において知らせることができ、会葬者がそれら個人データを確認しつつ生前の故人を偲ぶことができる。葬儀支援システムは、個人データとして故人の生前のあらゆるデータを所定の時間間隔で順次出力することができ、時間とともに変わる各種複数の個人データを会葬者に順次見せることができるから、葬儀の演出効果を確実に高めることができ、故人のみならず遺族にとっても最良の葬儀を行うことができる。この葬儀支援システムは、複数の故人の個人データをそれら故人の葬儀が行われる各葬儀式場において個別に出力することができ、複数の故人の葬儀が同時に行われる斎場の複数の葬儀式場に対応させた状態で各故人の個人データを出力することができる。
【００１７】
葬儀情報として故人に送られた複数の弔辞および弔電が含まれ、弔辞および弔電を葬儀の進行中に出力装置を介して所定の時間間隔で順次出力する葬儀支援システムは、弔辞や弔電を葬儀式場において順次照会することができるから、葬儀に参列できない人の弔辞や弔電を会葬者に知らせることができる。葬儀支援システムは、複数の弔辞および弔電を所定の時間間隔で順次出力することができ、時間とともに変わる弔辞および弔電を会葬者に順次見せることができるから、葬儀の演出効果を確実に高めることができ、故人のみならず遺族にとっても最良の葬儀を行うことができる。この葬儀支援システムは、複数の故人に送られた弔辞および弔電をそれら故人の葬儀が行われる各葬儀式場において個別に出力することができ、複数の故人の葬儀が同時に行われる斎場の複数の葬儀式場に対応させた状態で各故人に送られた弔辞および弔電を出力することができる。
【００１８】
管理コンピュータが個人データと弔辞および弔電とを表示した葬儀台帳を作成し、作成した葬儀台帳を出力する葬儀支援システムは、葬儀に用いた故人のプロフィールや経歴、思い出等の個人データや弔辞および弔電を葬儀台帳に纏めることで、故人の葬儀における思い出を作ることができるとともに、故人の葬儀履歴を残すことができる。この葬儀支援システムは、故人の個人データや弔辞および弔電を表示した葬儀台帳を御霊前や御仏前に供え、故人の冥福を祈りつつ、故人の供養に供することができる。
【００１９】
葬儀情報として故人の通夜における通夜進行予定が含まれ、通夜進行予定を故人の通夜における葬儀式場に設置された出力装置を介して出力する葬儀支援システムは、通夜に参列した遺族や会葬者に通夜の開始から終了までの時間や通夜において行われる行事の目録、行事の時間等を知らせることができ、通夜の円滑な進行を図ることができる。この葬儀支援システムは、複数の故人の通夜進行予定をそれら故人の葬儀が行われる各葬儀式場において個別に出力することができ、複数の故人の葬儀が同時に行われる斎場の複数の葬儀式場に対応させた状態で各故人の通夜進行予定を出力することができる。
【００２０】
葬儀情報として故人の告別式における告別式進行予定が含まれ、告別式進行予定を故人の告別式における葬儀式場に設置された出力装置を介して出力する葬儀支援システムは、告別式に参列した遺族や会葬者に告別式の開始から終了までの時間や告別式において行われる行事の目録、行事の時間等を知らせることができ、告別式の円滑な進行を図ることができる。この葬儀支援システムは、複数の故人の告別式進行予定をそれら故人の葬儀が行われる各葬儀式場において個別に出力することができ、複数の故人の葬儀が同時に行われる斎場の複数の葬儀式場に対応させた状態で各故人の告別式進行予定を出力することができる。
【００２１】
葬儀情報として葬儀に参列した複数の会葬者の氏名および住所が含まれ、電子ペンから出力された会葬者の氏名および住所を斎場サーバが管理コンピュータに送信し、管理コンピュータが会葬者の氏名および住所を表示した会葬者台帳を作成する葬儀支援システムは、電子ペンを利用することで、受付担当者等が会葬者名簿に記帳された会葬者の氏名や住所を別途書き写す必要はなく、それら会葬者の氏名や住所を表示した会葬者台帳が自動的に作成されるから、受付担当者等の会葬者台帳作成の手間を省くことができ、葬儀における受付業務の簡素化を図ることができる。
【００２２】
葬儀情報として会葬者から受け取った香典の香典金額が含まれ、電子ペンから出力された香典金額を斎場サーバが管理コンピュータに送信し、管理コンピュータが会葬者の氏名および住所と香典金額とを対応させつつ、香典金額合計と香典を金額毎に区分した香典内訳とを表示した香典台帳を作成する葬儀支援システムは、受付担当者等が香典金額合計を別途計算する必要はなく、香典台帳に香典金額合計が表示されるから、受付担当者等の香典金額計算の手間を省くことができ、葬儀における受付業務の簡素化を図ることができる。この葬儀支援システムは、香典台帳に香典を金額毎に区分した香典内訳が表示されるから、受付担当者等が香典をその金額毎に別途仕訳する必要はなく、受付担当者等の金額毎の香典仕分け作業の手間を省くことができ、葬儀における受付業務の簡素化を図ることができる。
【００２３】
葬儀情報として故人の複数の遺影写真が含まれ、それら遺影写真を葬儀の進行中に葬儀式場においてデジタルフォトフレームを介して所定の時間間隔で順次出力する葬儀支援システムは、故人の複数の遺影写真を祭壇に設置されたデジタルフォトフレームに順次表示させることができるから、故人の生前の各種複数の顔を会葬者に見せることができ、会葬者がそれら遺影写真を確認しつつ生前の故人を偲ぶことができる。
【図面の簡単な説明】
【００２４】
【図１】一例として示す葬儀支援システムのネットワーク構成図。
【図２】一例として示す葬儀支援システムの構成図。
【図３】一例として示す葬儀式場の図。
【図４】ディスプレイに表示された初期画面の一例を示す図。
【図５】情報入力や台帳作成の指示画面の一例を示す図。
【図６】葬儀情報等の入力画面の一例を示す図。
【図７】通夜進行予定入力画面の一例を示す図。
【図８】通夜進行予定の一例を示す図。
【図９】告別式進行予定入力画面の一例を示す図。
【図１０】告別式進行予定の一例を示す図。
【図１１】先頭頁作成画面の一例を示す図。
【図１２】先頭頁の一例を示す図。
【図１３】最終頁作成画面の一例を示す図。
【図１４】最終頁の一例を示す図。
【図１５】個人データ入力画面の一例を示す図。
【図１６】プロフィールの一例を示す図。
【図１７】家族構成の一例を示す図。
【図１８】思い出写真の一例を示す図。
【図１９】弔辞弔電入力画面の一例を示す図。
【図２０】弔辞および弔電の一例を示す図。
【図２１】遺影写真入力画面の一例を示す図。
【図２２】通夜予定表画面の一例を示す図。
【図２３】通夜進行画面の一例を示す図。
【図２４】通夜用会葬者名簿の一例を示す図。
【図２５】通夜用香典目録の一例を示す図。
【図２６】告別式予定表画面の一例を示す図。
【図２７】告別式進行画面の一例を示す図。
【図２８】告別式用会葬者名簿の一例を示す図。
【図２９】告別式用香典目録の一例を示す図。
【図３０】会葬者台帳の一例を示す図。
【図３１】葬儀台帳の一例を示す図。
【図３２】葬儀台帳の一例を示す図。
【図３３】香典台帳の一例を示す図。
【発明を実施するための形態】
【００２５】
一例として示す葬儀支援システム１０のネットワーク構成図である図１等の添付の図面を参照し、本発明に係る葬儀支援システムの最良の形態を説明すると、以下のとおりである。なお、図２は、葬儀式場に設置される出力装置等の一例を示す図であり、図３は、一例として示す葬儀式場の図である。この葬儀支援システム１０は、複数の故人の各種複数の葬儀情報を管理しつつ、それら葬儀情報を各葬儀式場毎に出力し、複数の斎場の複数の葬儀式場で行われる葬儀の円滑な進行を図る。なお、葬儀として仏式を図示しているが、仏式のみならず、神式やキリスト教式等の他の葬式においてこのシステム１０を利用することもできる。
【００２６】
葬儀情報には、所定形式の葬儀台帳のひな型、所定形式の会葬者台帳のひな型、所定形式の香典台帳のひな型、通夜における通夜進行予定、告別式における告別式進行予定、各種複数の個人データ、故人に送られた複数の弔辞および弔電、葬儀に参列した複数の会葬者の氏名および住所、会葬者から受け取った香典の香典金額、故人の複数の遺影写真がある。個人データには、故人の生前におけるプロフィールや経歴、思い出等が含まれる。なお、葬儀情報に特に限定はなく、葬儀に関するすべての情報が含まれる。また、個人データに特に限定はなく、故人に関わるすべての情報が含まれる。
【００２７】
斎場には、図１に示すように、複数の葬儀式場が施設されている。それら葬儀式場では、１日に複数の故人の葬儀が同時に行われる。なお、図１では２つの斎場を図示しているが、斎場の数に特に制限はなく、３つ以上の斎場にこのシステム１０を利用することができる。また、斎場における葬儀式場の数にも特に限定はなく、図示の葬儀式場よりも多い数の式場を有する斎場にこのシステム１０を利用することもできる。
【００２８】
葬儀支援システム１０は、管理コンピュータ１１、サーバ１２Ａ，１２Ｂ（斎場サーバ）、ディスプレイ１３Ａ，１３Ｂ（出力装置）、プリンタ１４（出力装置）、デジタルフォトフレーム１５、会葬者名簿１６（電子ペン対応用紙）および香典目録１７（電子ペン対応用紙）、電子ペン１８（デジタルペン）から構成されている。各斎場には、図１に示すように、サーバ１２Ａ，１２Ｂが設置されている。斎場のそれら葬儀式場には、図２に示すように、ディスプレイ１３Ａ，１３Ｂやプリンタ１４、デジタルフォトフレーム１５が設置され、会葬者名簿１６（電子ペン対応用紙）、香典目録１７（電子ペン対応用紙）、電子ペン１８が備え付けられる。ディスプレイ１３Ａ，１３Ｂやプリンタ１４、デジタルフォトフレーム１５、電子ペン１８は、インターフェイス（有線または無線）を介してサーバ１２Ａ，１２Ｂに接続されている。サーバ１２Ａ，１２Ｂは、所定のネットワーク１９を介して管理コンピュータ１１に接続されている。ネットワーク１９には、インターネットやＬＡＮ、ＷＡＮ等の既存のすべてのネットワークが含まれる。
【００２９】
管理コンピュータ１１は、斎場から所定距離離間したシステム運営者の施設に設置され、複数の故人の葬儀に関する各種複数の葬儀情報を管理する。コンピュータ１１は、中央処理部とメモリとを有し、大容量ハードディスクを内蔵している。コンピュータ１１には、ディスプレイ２０やプリンタ２１等の出力装置がインターフェイス（有線または無線）を介して接続され、キーボード２２やマウス（図示せず）、スキャナ（図示せず）等の入力装置がインターフェイスを介して接続されている。
【００３０】
管理コンピュータ１１のメモリの命令ファイルには、葬儀情報管理アプリケーション、電子ペンデータ処理アプリケーション等の各種複数のアプリケーションが格納されている。コンピュータ１１のハードディスクには、各斎場を特定する斎場識別子、斎場の各葬儀式場を特定する葬儀式場識別子、各種複数の葬儀情報、葬儀台帳のひな型、会葬者台帳のひな型、香典台帳のひな型が格納されている。なお、管理コンピュータ１１は、斎場の管理室や各葬儀式場の受付、控え室等に設置される場合もある。
【００３１】
管理コンピュータ１１は、電子ペンアクセスポイント機能、ホスト名とそのホスト名に割り当てるＩＰアドレスとの対応付けを設定するＤＮＳサーバ機能、他のサーバからの要求を受け付けて各種情報を読み書きする機能を提供するデータベースサーバ機能、電子メールの送受信を可能にするメールサーバ機能、作成された文章や画像等の情報をすべて保存してそれらの情報を検索可能にするドキュメントサーバ機能を有する。コンピュータ１１は、インターネットを介してＷｅｂデータを取得可能であり、ＤＮＳサーバ機能を介してインターネットに接続可能かつ他のサーバや携帯電話にアクセス可能である。また、メールサーバ機能を介して電子メールを他のサーバや携帯電話へ送信可能かつ電子メールを他のサーバや携帯電話から受信可能である。
【００３２】
管理コンピュータ１１は、オペレーティングシステムによる制御に基づいて、メモリの命令ファイルに格納された各種アプリケーションを起動し、それらアプリケーションに従って以下の各手段を実行する。コンピュータ１１は、各種複数の通夜進行予定（故人氏名、喪主氏名、式場名を含む）を各斎場毎であって各葬儀式場毎に区分した状態でハードディスクに格納（記憶）する通夜進行予定記憶手段（葬儀情報記憶手段）を実行する。コンピュータ１１は、格納したそれら通夜進行予定（故人氏名、喪主氏名、式場名を含む）をネットワーク１９を介して各斎場に設置されたサーバ１２Ａ，１２Ｂに送信する通夜進行予定送信手段（葬儀情報送信手段）を実行し、送信した通夜進行予定を各葬儀式場（通夜式場）においてサーバ１２Ａ，１２Ｂを介してディスプレイ１３に表示（出力）させる通夜進行予定出力指示手段（葬儀情報出力指示手段）を実行する。通夜進行予定は、葬儀の準備段階において入力装置からコンピュータ１１に入力される。
【００３３】
管理コンピュータ１１は、各種複数の告別式進行予定（故人氏名、喪主氏名、式場名を含む）を各斎場毎であって各葬儀式場毎に区分した状態でハードディスクに格納（記憶）する告別式進行予定記憶手段（葬儀情報記憶手段）を実行する。コンピュータ１１は、格納したそれら告別式進行予定（故人氏名、喪主氏名、式場名を含む）をネットワーク１９を介して各斎場に設置されたサーバ１２Ａ，１２Ｂに送信する告別式進行予定送信手段（葬儀情報送信手段）を実行し、送信した告別式進行予定を各葬儀式場（告別式の式場）においてサーバ１２Ａ，１２Ｂを介してディスプレイ１３に表示（出力）させる告別式進行予定出力指示手段（葬儀情報出力指示手段）を実行する。告別式進行予定は、葬儀の準備段階において入力装置からコンピュータ１１に入力される。
【００３４】
管理コンピュータ１１は、複数の故人の個人データを各斎場毎であって各葬儀式場毎に区分した状態でハードディスクに格納（記憶）する個人データ記憶手段（葬儀情報記憶手段）を実行する。コンピュータ１１は、格納したそれら個人データをネットワーク１９を介して各斎場に設置されたサーバ１２Ａ，１２Ｂに送信する個人データ送信手段（葬儀情報送信手段）を実行し、送信した個人データを通夜や告別式の進行中に各葬儀式場においてサーバ１２Ａ，１２Ｂを介してディスプレイ１３に所定の時間間隔で順次表示（出力）させる個人データ出力指示手段（葬儀情報出力指示手段）を実行する。個人データは、葬儀の準備段階において入力装置やメモリデバイス、デジタルカメラからコンピュータ１１に入力される。
【００３５】
管理コンピュータ１１は、各種複数の弔辞および弔電をネットワーク１９を介してサーバ１２Ａ，１２Ｂから受信する弔意弔電受信手段（葬儀情報受信手段）を実行し、受信した弔辞および弔電を各斎場毎であって各葬儀式場毎に区分した状態でハードディスクに格納（記憶）する弔辞弔電記憶手段（葬儀情報記憶手段）を実行する。コンピュータ１１は、格納したそれら弔辞および弔電のうちの必要なそれらをネットワーク１９を介して各斎場に設置されたサーバ１２Ａ，１２Ｂに送信する弔意弔電送信手段（葬儀情報送信手段）を実行し、送信した弔辞および弔電を通夜や告別式の進行中に各葬儀式場においてサーバ１２Ａ，１２Ｂを介してディスプレイ１３に所定の時間間隔で順次表示（出力）させる弔辞弔電出力指示手段（葬儀情報出力指示手段）を実行する。弔意および弔電は、入力装置やメモリデバイスからコンピュータ１１に入力される場合もある。
【００３６】
管理コンピュータ１１は、複数の故人の複数の遺影写真を各斎場毎であって各葬儀式場毎に区分した状態でハードディスクに格納（記憶）する遺影写真記憶手段（葬儀情報記憶手段）を実行する。コンピュータ１１は、格納した遺影写真をネットワーク１９を介して各斎場に設置されたサーバ１２Ａ，１２Ｂに送信する遺影写真送信手段（葬儀情報送信手段）を実行し、送信したそれら遺影写真を通夜や告別式の進行中に各葬儀式場においてサーバ１２Ａ，１２Ｂを介してデジタルフォトフレーム１５に所定の時間間隔で順次表示（出力）させる遺影写真出力指示手段（葬儀情報出力指示手段）を実行する。遺影写真は、デジタルカメラやスキャナ、メモリデバイス等からコンピュータ１１に入力される他、インターネットを介してＷｅｂデータや電子メールとしてコンピュータ１１に入力される。
【００３７】
管理コンピュータ１１は、個人データや弔辞および弔電、夜進行予定、告別式進行予定、遺影写真等を所定の形式で表示した故人の葬儀台帳を各斎場毎であって各葬儀式場毎に作成する葬儀台帳作成手段を実行する。コンピュータ１１は、作成した葬儀台帳を各斎場毎であって各葬儀式場毎に区分した状態でハードディスクに格納（記憶）する葬儀台帳記憶手段を実行し、その葬儀台帳をディスプレイ２０やプリンタ２１を介して出力する葬儀台帳出力手段を実行する。コンピュータ１１は、作成した葬儀台帳をネットワーク１９を介して各斎場に設置されたサーバ１２Ａ，１２Ｂに送信する葬儀台帳送信手段（葬儀情報送信手段）を実行する。
【００３８】
管理コンピュータ１１は、複数の会葬者の氏名および住所をネットワーク１９を介してサーバ１２Ａ，１２Ｂから受信する氏名住所受信手段（葬儀情報受信手段）を実行し、受信した氏名および住所を各斎場毎であって各葬儀式場毎に区分した状態でハードディスクに格納（記憶）する氏名住所記憶手段（葬儀情報記憶手段）を実行する。会葬者の氏名および住所は、電子ペン１８によって読み取られ、電子ペン１８からサーバ１２Ａ，１２Ｂに入力された後、サーバ１２Ａ，１２Ｂからコンピュータ１１に送信される。
【００３９】
管理コンピュータ１１は、会葬者の氏名および住所を所定の形式で表示した会葬者台帳を各斎場毎であって各葬儀式場毎に作成する会葬者台帳作成手段を実行する。コンピュータ１１は、作成した会葬者台帳を各斎場毎であって各葬儀式場毎に区分した状態でハードディスクに格納（記憶）する会葬者台帳記憶手段を実行し、その会葬者台帳をディスプレイ２０やプリンタ２１を介して出力する会葬者台帳出力手段を実行する。コンピュータ１１は、作成した会葬者台帳をネットワーク１９を介して各斎場に設置されたサーバ１２Ａ，１２Ｂに送信する会葬者台帳送信手段（葬儀情報送信手段）を実行する。
【００４０】
管理コンピュータ１１は、香典金額をネットワーク１９を介してサーバ１２Ａ，１２Ｂから受信する香典金額受信手段（葬儀情報受信手段）を実行し、受信した香典金額を各斎場毎であって各葬儀式場毎に区分した状態でハードディスクに格納（記憶）する香典金額記憶手段（葬儀情報記憶手段）を実行する。香典金額は、電子ペン１８によって読み取られ、電子ペン１８からサーバ１２Ａ，１２Ｂに入力された後、サーバ１２Ａ，１２Ｂからコンピュータ１１に送信される。
【００４１】
管理コンピュータ１１は、会葬者の氏名および住所と香典金額とを対応させつつ、香典金額合計と香典を金額毎に区分した各会葬者の香典内訳とを表示した香典台帳を各斎場毎であって各葬儀式場毎に作成する香典台帳作成手段を実行する。コンピュータ１１は、作成した香典台帳を各斎場毎であって各葬儀式場毎に区分した状態でハードディスクに格納（記憶）する香典台帳記憶手段を実行し、その香典台帳をディスプレイ２０やプリンタ２１を介して出力する香典台帳出力手段を実行する。コンピュータ１１は、作成した香典台帳をネットワーク１９を介して各斎場に設置されたサーバ１２Ａ，１２Ｂに送信する香典台帳送信手段（葬儀情報送信手段）を実行する。
【００４２】
サーバ１２Ａ，１２Ｂは、中央処理部とメモリとを有するコンピュータであり、大容量ハードディスクを内蔵している。サーバ１２Ａ，１２Ｂには、ディスプレイ１３やプリンタ１４等の出力装置がインターフェイスを介して接続され、キーボード２３やマウス（図示せず）、スキャナ（図示せず）等の入力装置がインターフェイスを介して接続されている。サーバ１２Ａ，１２Ｂのメモリの命令ファイルには、葬儀情報管理アプリケーション、電子ペンデータ処理アプリケーション等の各種複数のアプリケーションが格納されている。サーバ１２Ａ，１２Ｂのハードディスクには、斎場を特定する斎場識別子、斎場の各葬儀式場を特定する葬儀式場識別子、各電子ペン１８を識別する電子ペン識別子が格納されており、さらに、各種複数の葬儀情報が格納される。電子ペン１８の電子ペン識別子は、各葬儀式場の葬儀式場識別子に関連付けられた状態で格納されている。
【００４３】
サーバ１２Ａ，１２Ｂは、コンピュータ１１と同様に、電子ペンアクセスポイント機能、ＤＮＳサーバ機能、データベースサーバ機能、メールサーバ機能、ドキュメントサーバ機能を有する。サーバは、インターネットを介してＷｅｂデータを取得可能であり、ＤＮＳサーバ機能を介してインターネットに接続可能かつ他のサーバや携帯電話にアクセス可能である。また、メールサーバ機能を介して電子メールを他のサーバや携帯電話へ送信可能かつ電子メールを他のサーバや携帯電話から受信可能である。
【００４４】
サーバ１２Ａ，１２Ｂは、オペレーティングシステムによる制御に基づいて、メモリの命令ファイルに格納された各種アプリケーションを起動し、それらアプリケーションに従って以下の各手段を実行する。サーバ１２Ａ，１２Ｂは、各種複数の通夜進行予定をネットワーク１９を介してコンピュータ１１から受信する通夜進行予定受信手段（葬儀情報受信手段）を実行し、受信した通夜進行予定を各葬儀式場毎に区分した状態でハードディスクに格納（記憶）する通夜進行予定記憶手段（葬儀情報記憶手段）を実行する。サーバ１２Ａ，１２Ｂは、コンピュータ１１からの出力指示にしたがって、通夜進行予定をディスプレイ１３Ａ，１３Ｂを介して各葬儀式場毎（各通夜式場）に所定時間表示（出力）する通夜進行予定出力手段（葬儀情報出力手段）を実行する。
【００４５】
サーバ１２Ａ，１２Ｂは、各種複数の告別式進行予定をネットワーク１９を介してコンピュータ１１から受信する告別式進行予定受信手段（葬儀情報受信手段）を実行し、受信した告別式進行予定を各葬儀式場毎に区分した状態でハードディスクに格納（記憶）する告別式進行予定記憶手段（葬儀情報記憶手段）を実行する。サーバ１２Ａ，１２Ｂは、コンピュータ１１からの出力指示にしたがって、告別式進行予定をディスプレイ１３Ａ，１３Ｂを介して各葬儀式場（告別式の式場）に所定の時間表示（出力）する告別式進行予定出力手段（葬儀情報出力手段）を実行する。
【００４６】
サーバ１２Ａ，１２Ｂは、複数の故人の各種複数の個人データをネットワーク１９を介してコンピュータ１１から受信する個人データ受信手段（葬儀情報受信手段）を実行し、受信した故人の個人データを各葬儀式場毎に区分した状態でハードディスクに格納（記憶）する個人データ記憶手段（葬儀情報記憶手段）を実行する。サーバ１２Ａ，１２Ｂは、コンピュータ１１からの出力指示にしたがって、個人データをディスプレイ１３Ａ，１３Ｂを介して各葬儀式場に所定の時間間隔で順次表示（出力）する個人データ出力手段（葬儀情報出力手段）を実行する。
【００４７】
サーバ１２Ａ，１２Ｂは、各種複数の弔辞および弔電を各葬儀式場毎に区分した状態で格納（記憶）しつつ、それら弔辞および弔電をネットワーク１９を介してコンピュータ１１に送信する弔辞弔電送信手段を実行する。サーバ１２Ａ，１２Ｂは、各種複数の弔辞および弔電をネットワーク１９を介してコンピュータ１１から受信する弔辞弔電受信手段を実行し、受信した弔辞および弔電を各葬儀式場毎に区分した状態でハードディスクに格納（記憶）する弔辞弔電記憶手段（葬儀情報記憶手段）を実行する。サーバ１２Ａ，１２Ｂは、コンピュータ１１からの出力指示にしたがって、弔辞および弔電をディスプレイ１３Ａ，１３Ｂを介して各葬儀式場に所定の時間間隔で順次表示（出力）する弔辞弔電出力手段（葬儀情報出力手段）を実行する。
【００４８】
サーバ１２Ａ，１２Ｂは、故人の複数の遺影写真をネットワーク１９を介してコンピュータ１１から受信する遺影写真受信手段を実行し、受信した複数の遺影写真を各葬儀式場毎に区分した状態でハードディスクに格納（記憶）する遺影写真記憶手段（葬儀情報記憶手段）を実行する。サーバ１２Ａ，１２Ｂは、コンピュータ１１からの出力指示にしたがって、遺影写真をデジタルフォトフレーム１５を介して各葬儀式場に所定の時間間隔で順次表示（出力）する遺影写真出力手段（葬儀情報出力手段）を実行する。
【００４９】
ディスプレイ１３Ａ，１３Ｂ（出力装置）には、サーバ１２Ａ，１２Ｂに直接接続されてサーバ１２Ａ，１２Ｂの近傍に設置された液晶ディスプレイ１３Ａと、葬儀式場に設置された大画面液晶ディスプレイ１３Ｂまたは大画面プラズマディスプレイ１３Ｂとが使用されている。プリンタ１４（出力装置）は、サーバ１２Ａ，１２Ｂに直接接続されてサーバ１２Ａ，１２Ｂの近傍に設置されている。デジタルフォトフレーム１５は、祭壇２４に設置され、故人の遺影（静止画）を順次切り替えて表示する。
【００５０】
会葬者名簿１６（電子ペン対応用紙）や香典目録１７（電子ペン対応用紙）には、所定のドットパターンが印刷されている。会葬者名簿１６や電子ペン１８は、受付に備えられる。香典目録１７は、受付担当者が保管する。電子ペン１８は、各葬儀式場毎に専用のそれが備えられる。受付に備えられる。電子ペン１８は、氏名および住所の会葬者名簿への記帳と同時にそれら氏名および住所を読み取り、読み取った氏名および住所を電子データ（電子ペン識別子を含む）としてサーバ１２Ａ，１２Ｂに送信（出力）する。また、香典金額の香典目録への記載と同時にそれら香典金額を読み取り、読み取った香典金額を電子データ（電子ペン識別子を含む）としてサーバ１２Ａ，１２Ｂに送信（出力）する。
【００５１】
サーバ１２Ａ，１２Ｂは、電子ペン１８から送信された会葬者の氏名および住所（電子ペン識別子を含む）を各葬儀式場毎に区分した状態でハードディスクに格納（記憶）する氏名住所記憶手段（葬儀情報出力手段）を実行し、会葬者の氏名および住所をネットワーク１９を介してコンピュータ１１に送信する氏名住所送信手段（葬儀情報送信手段）を実行する。サーバ１２Ａ，１２Ｂは、電子ペン１８から送信された香典金額（電子ペン識別子を含む）を各葬儀式場毎に区分した状態でハードディスクに格納（記憶）する香典金額記憶手段（葬儀情報記憶手段）を実行し、香典金額をネットワーク１９を介してコンピュータ１１に送信する香典金額送信手段（葬儀情報送信手段）を実行する。
【００５２】
サーバ１２Ａ，１２Ｂは、葬儀台帳や会葬者台帳、香典台帳をネットワーク１９を介してコンピュータ１１から受信する台帳受信手段を実行し、受信した葬儀台帳や会葬者台帳、香典台帳を各葬儀式場毎に区分した状態でハードディスクに格納（記憶）する台帳記憶手段（葬儀情報記憶手段）を実行する。サーバ１２Ａ，１２Ｂは、葬儀台帳や会葬者台帳、香典台帳をディスプレイ１３Ａやプリンタ１４を介して出力する台帳出力手段（葬儀情報出力手段）を実行する。
【００５３】
図４は、ディスプレイ２０に表示された初期画面の一例を示す図であり、図５は、情報入力や台帳作成の指示画面の一例を示す図である。図６は、葬儀情報等の入力画面の一例を示す図である。図５，６では、データ表示やデータ入力の図示を省略している。葬儀情報等の準備処理は、葬儀の前日以前に行う。管理コンピュータ１１を起動させると、それに接続されたディスプレイ２０に認証画面（図示せず）が表示される。認証手続きにおける認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００５４】
認証画面には、ユーザ名の入力エリアとパスワードの入力エリアとが表示される。管理コンピュータ１１の操作者は、それら入力エリアにユーザ名とパスワードとを入力する。コンピュータ１１は、入力されたユーザ名およびパスワードをメモリに格納されたそれらと比較し、ユーザ名およびパスワードの正誤を判断する。ユーザ名およびパスワードが正しく認証結果が可である場合、コンピュータ１１は、葬儀支援システム１０の使用を許可する。コンピュータ１１は、各種アプリケーションを起動するとともに、ディスプレイ２０に図４に示す初期画面を表示する。ユーザ名やパスワードが誤っていて認証結果が不可である場合、コンピュータ１１は、葬儀支援システム１０の使用を禁止し、使用禁止メッセージをディスプレイ２０に表示する。
【００５５】
ディスプレイ２０に表示された初期画面には、図４に示すように、このシステム１０のタイトルとともに、開始ボタン３０、通夜送信ボタン３１、告別式送信ボタン３２、ログアウトボタン３３が表示される。ログアウトボタン３３を押すと、図示はしていないが、管理コンピュータ１１は、システム１０の続行の有無を問い合わせるメッセージとともに、続行ボタンおよび実行ボタンをディスプレイ２０に表示する。実行ボタンを押すと、コンピュータ１１は、このシステム１０からログアウト（システム１０を停止）する。
【００５６】
図４の初期画面において開始ボタン３０を押すと、管理コンピュータ１１は、情報入力や台帳作成の指示画面をディスプレイ２０に表示する。指示画面には、図５に示すように、故人氏名の入力エリア３４、喪主氏名の入力エリア３５、式場名入力エリア３６、通夜開始日時入力エリア３７、通夜終了日時入力エリア３８、告別式開始日時入力エリア３９、告別式終了日時入力エリア４０が表示され、葬儀情報入力４１や遺影写真入力４２、葬儀台帳作成４３、会葬者台帳作成４４、香典台帳作成４５、葬儀台帳表示４６、会葬者台帳表示４７、香典台帳表示４８の各項目、実行ボタン４９およびキャンセルボタン５０が表示される。なお、キャンセルボタン５０を押すと、コンピュータ１１は、図４の初期画面をディスプレイ２０に表示する。
【００５７】
葬儀情報を入力するには、図５の指示画面において、故人氏名入力エリア３４に故人の氏名を入力し、喪主氏名入力エリア３５に喪主の氏名を入力するとともに、葬儀式場名入力エリア３６に式場の名称を入力（プルダウンリストから式場の名称を選択）する。さらに、通夜開始日時入力エリア３７に通夜開始日時を入力（プルダウンリストから通夜開始日時を選択）し、通夜終了日時入力エリア３＋８に通夜終了日時を入力（プルダウンリストから通夜終了日時を選択）するとともに、告別式開始日時入力エリア３９に告別式開始日時を入力（プルダウンリストから告別式開始日時を選択）し、告別式終了日時入力エリア４０に告別式終了日時を入力（プルダウンリストから告別式終了日時を選択）した後、葬儀情報入力項目４１をクリックして葬儀情報入力４１を反転させ、実行ボタン４９を押す。実行ボタン４９を押すと、管理コンピュータ１１は、入力された故人氏名および喪主氏名を特定する故人喪主識別子を生成し、生成した故人喪主識別子を故人氏名および喪主氏名に設定する。さらに、葬儀式場名に対応する斎場識別子および葬儀式場識別子をハードディスクから抽出するとともに、電子ペン識別子をハードディスクから抽出する。
【００５８】
管理コンピュータ１１は、故人喪主識別子が設定された故人氏名や喪主氏名を斎場識別子および葬儀式場識別子に関連付けた状態（故人喪主識別子が設定された故人氏名や喪主氏名に斎場識別子および葬儀式場識別子を設定した状態）でハードディスクに格納し、通夜開始日時や通夜終了日時を斎場識別子および葬儀式場識別子に関連付けた状態（通夜開始日時や通夜終了日時に斎場識別子および葬儀式場識別子を設定した状態）でハードディスクに格納する（葬儀情報格納手段）。さらに、告別式開始日時や告別式終了日時を斎場識別子および葬儀式場識別子に関連付けた状態（告別式開始日時や告別式終了日時に斎場識別子および葬儀式場識別子を設定した状態）でハードディスクに格納するとともに、電子ペン識別子を斎場識別子および葬儀式場識別子に関連付けた状態（電子ペン識別子に斎場識別子および葬儀式場識別子を設定した状態）でハードディスクに格納する（葬儀情報格納手段）。
【００５９】
管理コンピュータ１１は、それらを格納した後、葬儀情報入力画面をディスプレイ２０に表示する。葬儀情報入力画面には、図６に示すように、故人氏名を表示した故人氏名表示エリア５１、喪主氏名を表示した喪主氏名表示エリア５２、式場名を表示した式場名表示エリア５３、通夜開始日時を表示した通夜開始日時表示エリア５４、通夜終了日時を表示した通夜終了日時表示エリア５５、告別式開始日時を表示した告別式開始日時表示エリア５６、告別式終了日時を表示した告別式終了日時表示エリア５７が表示される。さらに、通夜進行予定入力５８や告別式進行予定入力５９、通夜進行予定表示６０、告別式進行予定表示６１、先頭頁作成６２、最終頁作成６３、先頭頁表示６４、最終頁表示６５、個人データ入力６６、個人データ表示６７、弔辞および弔電入力６８、弔辞および弔電表示６９の各項目、実行ボタン７０およびキャンセルボタン７１が表示される。キャンセルボタン７１を押すと、コンピュータ１１は、図４の初期画面をディスプレイ２０に表示する。
【００６０】
図７は、通夜進行予定入力画面の一例を示す図であり、図８は、通夜進行予定の一例を示す図である。図７では、データ表示やデータ入力の図示を省略している。通夜進行予定を入力するには、図６の葬儀情報入力画面の通夜進行予定入力項目５８をクリックして通夜進行予定入力５８を反転させ、実行ボタン７０を押す。実行ボタンを押すと、管理コンピュータ１１は、通夜進行予定入力画面をディスプレイ２０に表示する。
【００６１】
通夜進行予定入力画面には、図７に示すように、故人氏名を表示した故人氏名表示エリア７２、喪主氏名を表示した喪主氏名表示エリア７３、式場名を表示した式場名表示エリア７４、通夜開始日時を表示した通夜開始日時表示エリア７５、通夜終了日時を表示した通夜終了日時表示エリア７６が表示される。さらに、時間入力エリア７７、行事入力エリア７８、表示日時入力エリア７９、実行ボタン８０、クリアボタン８１、キャンセルボタン８２が表示される。通夜進行予定入力画面において時間入力エリア７７に行事の行われる時間を入力し、行事入力エリア７８に各行事を入力するとともに、表示日時入力エリア７９に表示年月日と表示時間とを入力した後、実行ボタン８０を押す。表示年月日は通夜進行予定を表示する通夜の日付であり、表示時間は通夜日付における通夜開始時間から通夜終了時間までを設定する。
【００６２】
実行ボタン８０を押すと、管理コンピュータ１１は、それら入力エリア７７〜７９に入力された時間や行事、表示日時を表示した確認画面（図示せず）をディスプレイ２０に表示するとともに、実行ボタン、キャンセルボタンを表示する。再度実行ボタンを押すと、コンピュータ１１は、入力された時間や行事、表示日時の通夜進行予定データを斎場識別子および葬儀式場識別子に関連付けた状態（通夜進行予定データに斎場識別子および葬儀式場識別子を設定した状態）でハードディスクに格納した後（通夜進行予定記憶手段、葬儀情報記憶手段）、図５の指示画面をディスプレイ２０に表示する。通夜進行予定入力画面においてクリアボタン８１を押すと、コンピュータ１１は、入力された各データを消去する。キャンセルボタン８２を押すと、コンピュータ１１は、図４の初期画面をディスプレイ２０に表示する。
【００６３】
入力した通夜進行予定を確認するには、図６の葬儀情報入力画面の通夜進行予定表示項目６０をクリックして通夜進行予定表示６０を反転させ、実行ボタン７０を押す。実行ボタン７０を押すと、管理コンピュータ１１は、図８に示す通夜進行予定をディスプレイ２０に表示する。ディスプレイ２０には、通夜進行予定の一例として、着席、僧侶入場、読教、焼香、僧侶退場、喪主あいさつ、通夜ぶるまいの各行時とそれら行事のタイムスケジュールとが表示される。通夜進行予定は、プリンタ２１を介して出力することができる。
【００６４】
図９は、告別式進行予定入力画面の一例を示す図であり、図１０は、告別式進行予定の一例を示す図である。図９では、データ表示やデータ入力の図示を省略している。告別式進行予定を入力するには、図６の葬儀情報入力画面の告別式進行予定入力項目５９をクリックして告別式進行予定入力５９を反転させ、実行ボタン７０を押す。実行ボタン７０を押すと、管理コンピュータ１１は、告別式進行予定入力画面をディスプレイ２０に表示する。
【００６５】
告別式進行予定入力画面には、図９に示すように、故人氏名を表示した故人氏名表示エリア８３、喪主氏名を表示した喪主氏名表示エリア８４、式場名を表示した式場名表示エリア８５、告別式開始日時を表示した告別式開始日時表示エリア８６、告別式終了日時を表示した告別式終了日時表示エリア８７が表示される。さらに、時間入力エリア８８、行事入力エリア８９、表示日時入力エリア９０、実行ボタン９１、クリアボタン９２、キャンセルボタン９３が表示される。告別式進行予定入力画面において時間入力エリア８８に行事の行われる時間を入力し、行事入力エリア８９に各行事を入力するとともに、表示日時入力エリア９０に表示年月日と表示時間とを入力した後、実行ボタン９１を押す。表示年月日は告別式進行予定を表示する告別式の日付であり、表示時間は告別式日付における告別式開始時間から告別式終了時間までを設定する。
【００６６】
実行ボタン９１を押すと、管理コンピュータ１１は、それら入力エリア８８〜９０に入力された時間や行事、表示日時を表示した確認画面（図示せず）をディスプレイ２０に表示するとともに、実行ボタン、キャンセルボタンを表示する。再度実行ボタンを押すと、コンピュータ１１は、入力された時間や行事、表示日時の告別式進行予定データを斎場識別子および葬儀式場識別子に関連付けた状態（告別式進行予定データに斎場識別子および葬儀式場識別子を設定した状態）でハードディスクに格納した後（告別式進行予定記憶手段、葬儀情報記憶手段）、図５の指示画面をディスプレイ２０に表示する。告別式進行予定入力画面においてクリアボタン９２を押すと、コンピュータ１１は、入力された各データを消去する。キャンセルボタン９３を押すと、コンピュータ１１は、図４の初期画面をディスプレイ２０に表示する。
【００６７】
入力した告別式進行予定を確認するには、図６の葬儀情報入力画面の告別式進行予定表示項目６１をクリックして告別式進行予定表示６１を反転させ、実行ボタン７０を押す。実行ボタン７０を押すと、管理コンピュータ１１は、図１０に示す告別式進行予定をディスプレイ２０に表示する。ディスプレイ２０には、告別式進行予定の一例として、着席、僧侶入場、開式の辞、読教、弔電披露、遺族親族の焼香、会葬者の焼香、僧侶退場、喪主あいさつ、閉式の辞の各行事とそれら行事のタイムスケジュールとが表示される。告別式進行予定は、プリンタ２１を介して出力することができる。
【００６８】
図１１は、先頭頁作成画面の一例を示す図であり、図１２は、先頭頁の一例を示す図である。図１１では、データ表示やデータ入力の図示を省略している。ディスプレイ１３に最初に表示する先頭頁を作成するには、図６の葬儀情報入力画面の先頭頁作成項目６２をクリックして先頭頁作成６２を反転させ、実行ボタン７０を押す。実行ボタン７０を押すと、管理コンピュータ１１は、図示はしていないが、先頭頁の各種複数の背景デザインをディスプレイ２０に表示する。それら背景デザインの中から先頭頁に使用する背景デザインを選択して実行ボタンを押すと、コンピュータ１１は、選択された背景デザインを斎場識別子および葬儀式場識別子に関連付けた状態でハードディスクに格納する。
【００６９】
次に、コンピュータ１１は、先頭頁作成画面をディスプレイ２０に表示する。先頭頁作成画面には、図１１に示すように、故人氏名を表示した故人氏名表示エリア９４、喪主氏名を表示した喪主氏名表示エリア９５、式場名を表示した式場名表示エリア９６が表示される。さらに、メッセージ入力エリア９７、写真入力エリア９８、通夜表示日時入力エリア９９、告別式表示日時入力エリア１００、実行ボタン１０１、クリアボタン１０２、キャンセルボタン１０３が表示される。
【００７０】
先頭頁作成画面においてメッセージ入力エリア９７にメッセージを入力し、写真入力エリア９８に写真を入力し、通夜表示日時入力エリア９９に通夜における表示年月日と表示時間とを入力（プルダウンリストから日時を選択）するとともに、告別式表示日時入力エリア１００に告別式における表示年月日と表示時間とを入力（プルダウンリストから日時を選択）した後、実行ボタン１０１を押す。表示年月日は先頭頁を表示する通夜および告別式の日付であり、表示時間は通夜および告別式に日付における所定の時間である。たとえば、通夜および告別式の日の何時から何時までを設定する。なお、通夜と告別式とにおいて異なる先頭頁を作成し、通夜と告別式とにおいて別々の先頭頁をディスプレイ１３に表示することができる。
【００７１】
実行ボタン１０１を押すと、管理コンピュータ１１は、選択された背景デザインの中にそれら入力エリア９７〜１００に入力されたメッセージ（式場名を含む）、写真、表示日時を表示した確認画面（図示せず）をディスプレイ２０に表示するとともに、実行ボタン、キャンセルボタンを表示する。再度実行ボタンを押すと、コンピュータ１１は、入力されたメッセージ、写真、表示日時の先頭頁データを斎場識別子および葬儀式場識別子に関連付けた状態（先頭頁データに斎場識別子および葬儀式場識別子を設定した状態）でハードディスクに格納した後（先頭頁記憶手段、葬儀情報記憶手段）、図５の指示画面をディスプレイ２０に表示する。先頭頁作成画面においてクリアボタン１０２を押すと、コンピュータ１１は、入力した各データを消去する。キャンセルボタン１０３を押すと、コンピュータ１１は、図４の初期画面をディスプレイ２０に表示する。
【００７２】
入力した先頭頁を確認するには、図６の葬儀情報入力画面の先頭頁表示項目６４をクリックして先頭頁表示６４を反転させ、実行ボタン７０を押す。実行ボタン７０を押すと、管理コンピュータ１１は、図１２に示す先頭頁をディスプレイ２０に表示する。ディスプレイ２０には、先頭頁の一例として、故人氏名、式場名、喪主氏名、葬儀年月日、故人写真、メッセージが表示される。なお、先頭頁データを図示のそれらに限定するものではなく、各種複数の先頭頁データを任意に設定することができる。先頭頁は、プリンタ２１を介して出力することができる。
【００７３】
図１３は、最終頁作成画面の一例を示す図であり、図１４は、最終頁の一例を示す図である。図１３では、データ表示やデータ入力の図示を省略している。ディスプレイ１３に最後に表示する最終頁を作成するには、図６の葬儀情報入力画面の最終頁作成項目６３をクリックして最終頁作成６３を反転させ、実行ボタン７０を押す。実行ボタン７０を押すと、管理コンピュータ１１は、図示はしていないが、最終頁の各種複数の背景デザインをディスプレイ２０に表示する。それら背景デザインの中から最終頁に使用する背景デザインを選択して実行ボタンを押すと、コンピュータ１１は、選択された背景デザインを斎場識別子および葬儀式場識別子に関連付けた状態でハードディスクに格納する。
【００７４】
次に、コンピュータ１１は、最終頁作成画面をディスプレイ２０に表示する。最終頁作成画面には、図１３に示すように、故人氏名を表示した故人氏名表示エリア１０４、喪主氏名を表示した喪主氏名表示エリア１０５、式場名を表示した式場名表示エリア１０５が表示される。さらに、メッセージ入力エリア１０７、通夜表示日時入力エリア１０８、告別式表示日時入力エリア１０９、実行ボタン１１０、クリアボタン１１１、キャンセルボタン１１２が表示される。
【００７５】
最終頁作成画面においてメッセージ入力エリア１０７にメッセージを入力し、通夜表示日時入力エリア１０８に通夜における表示年月日と表示時間とを入力（プルダウンリストから日時を選択）するとともに、告別式表示日時入力エリア１０９に告別式における表示年月日と表示時間とを入力（プルダウンリストから日時を選択）した後、実行ボタン１１０を押す。表示年月日は最終頁を表示する通夜および告別式の日付であり、表示時間は通夜および告別式に日付における所定の時間である。たとえば、通夜および告別式の日の何時から何時までを設定する。なお、通夜と告別式とにおいて異なる最終頁を作成し、通夜と告別式とにおいて別々の最終頁をディスプレイ１３に表示することができる。
【００７６】
実行ボタン１１０を押すと、管理コンピュータ１１は、選択された背景デザインの中にそれら入力エリア１０７〜１０９に入力されたメッセージ（式場名を含む）、表示日時を表示した確認画面（図示せず）をディスプレイ２０に表示するとともに、実行ボタン、キャンセルボタンを表示する。再度実行ボタンを押すと、コンピュータ１１は、入力されたメッセージ、表示日時の最終頁データを斎場識別子および葬儀式場識別子に関連付けた状態（最終頁データに斎場識別子および葬儀式場識別子を設定した状態）でハードディスクに格納した後（最終頁記憶手段、葬儀情報記憶手段）、図５の指示画面をディスプレイ２０に表示する。最終頁作成画面においてクリアボタン１１１を押すと、コンピュータ１１は、入力した各データを消去する。キャンセルボタン１１２を押すと、コンピュータ１１は、図４の初期画面をディスプレイ２０に表示する。
【００７７】
入力した最終頁を確認するには、図６の葬儀情報入力画面の最終頁表示項目６５をクリックして最終頁表示６５を反転させ、実行ボタン７０を押す。実行ボタン７０を押すと、管理コンピュータ１１は、図１４に示す最終頁をディスプレイ２０に表示する。ディスプレイ２０には、最終頁の一例として、喪主氏名、メッセージが表示される。なお、最終頁データを図示のそれらに限定するものではなく、各種複数の最終頁データを任意に設定することができる。最終頁は、プリンタ２１を介して出力することができる。
【００７８】
図１５は、個人データ入力画面の一例を示す図であり、図１６は、プロフィールの一例を示す図である。図１７は、家族構成の一例を示す図であり、図１８は、思い出写真の一例を示す図である。図１５では、データ入力の図示を省略している。故人の個人データを入力する場合は、図６の葬儀情報入力画面の個人データ入力項目６６をクリックして個人データ入力６６を反転させ、実行ボタン７０を押す。実行ボタン７０を押すと、管理コンピュータ１１は、個人データ入力画面をディスプレイ２０に表示する。
【００７９】
個人データ入力画面には、図１５に示すように、プロフィール入力エリア１１３、経歴入力エリア１１４、思い出写真入力エリア１１５、表示日時入力エリア１１６、実行ボタン１１７、クリアボタン１１８、キャンセルボタン１１９が表示される。プロフィール入力エリア１１３に故人のプロフィール（生年月日、血液型、年齢、趣味、性格、出身地等）を入力し、経歴入力エリア１１４に故人の経歴（家族構成、出身校、勤務歴、業績等）を入力する。さらに、思い出写真入力エリア１１５に生前の写真やメッセージを入力し、表示日時入力エリア１１６に表示年月日と表示時間とを入力（プルダウンリストから日時を選択）した後、実行ボタン１１７を押す。
【００８０】
なお、個人データは、インターネットを介してＷｅｂデータや電子メールとしてコンピュータ１１に入力することもでき、メモリデバイスからコンピュータ１１に入力することもできる。表示年月日は個人データを表示する通夜および告別式の日付であり、表示時間は通夜および告別式に日付における所定の時間である。たとえば、通夜および告別式の日の何時から何時までを設定する。通夜と告別式とにおいて異なる個人データを作成し、通夜と告別式とにおいて別々の個人データをディスプレイ１３に表示することができる。
【００８１】
実行ボタン１１７を押すと、管理コンピュータ１１は、それら入力エリア１１３〜１１６に入力されたプロフィールや経歴、思い出写真（メッセージを含む）、表示日時を表示した確認画面（図示せず）をディスプレイ２０に表示するとともに、実行ボタン、キャンセルボタンを表示する。再度実行ボタンを押すと、コンピュータ１１は、入力されたプロフィールや経歴、思い出写真、表示日時の個人データを斎場識別子および葬儀式場識別子に関連付けた状態（個人データに斎場識別子および葬儀式場識別子を設定した状態）でハードディスクに格納した後（個人データ記憶手段、葬儀情報記憶手段）、図５の指示画面をディスプレイ２０に表示する。個人データ入力画面においてクリアボタン１１８を押すと、コンピュータ１１は、入力された各データを消去する。キャンセルボタン１１９を押すと、コンピュータ１１は、図４の初期画面をディスプレイ２０に表示する。
【００８２】
入力した個人データを確認するには、図６の葬儀情報入力画面の個人データ表示項目６７をクリックして個人データ表示６７を反転させ、実行ボタン７０を押す。実行ボタン７０を押すと、管理コンピュータ１１は、図１６〜図１８に示す個人データをディスプレイ２０に順に表示する。ディスプレイ２０には、プロフィールの一例として、生年月日、血液型、年齢、趣味、性格、出身地が表示され、家族構成の一例として、故人や妻、長男、長女、二男が表示されるとともに、思い出写真およびメッセージが表示される。なお、個人データを図示のそれらに限定するものではなく、各種複数の個人データを任意に設定することができる。個人データは、プリンタ２１を介して出力することができる。
【００８３】
図１９は、弔辞弔電入力画面の一例を示す図であり、図２０は、弔辞および弔電の一例を示す図である。図１９では、データ入力の図示を省略している。弔辞や弔電は、葬儀（通夜）の準備中に電報によって斎場に届けられる。斎場に届けられた弔辞や弔電は、喪主または葬儀責任者に渡されるとともに、サーバ１２Ａ，１２Ｂに入力され、斎場識別子および葬儀式場識別子に関連付けた状態（弔意弔電データに斎場識別子および葬儀式場識別子を設定した状態）でサーバ１２Ａ，１２Ｂのハードディスクに格納される（弔意弔電記憶手段、葬儀情報記憶手段）。サーバ１２Ａ，１２Ｂは、入力されたすべての弔辞や弔電（斎場識別子および葬儀式場識別子を含む）をネットワーク１９を介して管理コンピュータ１１に送信する（弔意弔電送信手段、葬儀情報送信手段）。
【００８４】
管理コンピュータ１１は、複数故人に対する各種複数の弔辞や弔電をサーバから受信し（弔意弔電受信手段、葬儀情報受信手段）、受信した弔辞や弔電を斎場識別子および葬儀式場識別子に関連付けた状態（弔意弔電データに斎場識別子および葬儀式場識別子を設定した状態）でハードディスクに格納する（弔辞弔電記憶手段、葬儀情報記憶手段）。
【００８５】
弔辞弔電入力画面では、通夜や告別式で紹介する弔辞および弔電のみを入力する。コンピュータ１１において必要な弔辞および弔電のみを入力する場合は、図６の葬儀情報入力画面の弔辞および弔電入力項目６８をクリックして弔辞および弔電入力６８を反転させ、実行ボタン７０を押す。実行ボタン７０を押すと、コンピュータ１１は、図１９に示す弔辞弔電入力画面をディスプレイ２０に表示する。弔辞弔電入力画面には、表示順番付きの弔辞弔電入力エリア１２０、表示日時入力エリア１２１、実行ボタン１２２、クリアボタン１２３、キャンセルボタン１２４が表示される。
【００８６】
弔辞弔電入力エリア１２０に弔辞や弔電を入力（プルダウンリストから弔意、弔電を選択）し、表示日時入力エリア１２１に表示年月日と表示時間とを入力した後、実行ボタン１２２を押す。なお、弔辞や弔電は、インターネットを介してＷｅｂデータや電子メールとしてコンピュータ１１に入力することもでき、メモリデバイスからコンピュータ１１に入力することもできる。表示年月日は弔辞や弔電を表示する通夜および告別式の日付であり、表示時間は通夜および告別式に日付における所定の時間である。たとえば、通夜および告別式の日の何時から何時までを設定する。表示時間を設定することで、通夜と告別式とにおいて別々の弔辞や弔電をディスプレイ１３に表示することができる。
【００８７】
実行ボタン１２２を押すと、管理コンピュータ１１は、それら入力エリア１２０，１２１に入力された弔辞や弔電、表示日時を表示した確認画面（図示せず）をディスプレイ２０に表示するとともに、実行ボタン、キャンセルボタンを表示する。再度実行ボタンを押すと、コンピュータ１１は、入力された弔辞や弔電、表示時間を故人喪主識別子に関連付けた状態（弔意弔電データに斎場識別子および葬儀式場識別子を設定した状態）でハードディスクに格納した後（弔辞弔電記憶手段、葬儀情報記憶手段）、図４の指示画面をディスプレイ２０に表示する。弔辞弔電入力画面においてクリアボタン１２３を押すと、コンピュータ１１は、入力された各データを消去する。キャンセルボタン１２４を押すと、コンピュータ１１は、図４の初期画面をディスプレイ２０に表示する。
【００８８】
入力した弔辞や弔電を確認するには、図６の葬儀情報入力画面の弔辞および弔電表示項目６９をクリックして弔辞および弔電表示６９を反転させ、実行ボタン７０を押す。実行ボタン７０を押すと、管理コンピュータ１１は、図２０に示す弔辞および弔電をディスプレイ２０に順番に表示する。ディスプレイ２０には、弔辞紹介メッセージ、弔辞送信者名、弔辞および弔電の内容が表示される。弔辞や弔電は、プリンタ２１を介して出力することができる。
【００８９】
図２１は、遺影写真入力画面の一例を示す図である。図２１では、データ入力の図示を省略している。遺影写真を入力する場合は、図５の指示画面の遺影写真入力項目４２をクリックして遺影写真入力４２を反転させ、実行ボタン４９を押す。実行ボタン４９を押すと、管理コンピュータ１１は、図２１に示す遺影写真入力画面をディスプレイ２０に表示する。遺影写真入力画面には、表示順番付きの遺影写真入力エリア１２５、表示日時入力エリア１２６、表示間隔入力エリア１２７、実行ボタン１２８、クリアボタン１２９、キャンセルボタン１３０が表示される。遺影写真入力エリア１２５に遺影写真を入力し、表示日時入力エリア１２６に表示年月日と表示時間とを入力するとともに、表示間隔入力エリア１２７に各遺影写真の表示時間間隔を入力した後、実行ボタン１２８を押す。
【００９０】
なお、遺影写真は、デジタルカメラやメモリデバイスからコンピュータ１１に入力する。表示年月日は遺影写真を表示する通夜および告別式の日付であり、表示時間は通夜および告別式に日付における所定の時間である。また、表示間隔は各遺影写真をディスプレイ１３に表示する間隔（時間）である。たとえば、通夜および告別式の日の何時から何時までを設定し、表示時間間隔（分または秒）を設定する。表示時間を設定することで、通夜と告別式とにおいて別々の遺影写真をディスプレイ１３に表示することができる。
【００９１】
実行ボタン１２８を押すと、管理コンピュータ１１は、それら入力エリア１２５〜１２７に入力された遺影写真や表示日時、表示時間間隔を表示した確認画面（図示せず）をディスプレイ２０に表示するとともに、実行ボタン、キャンセルボタンを表示する。再度実行ボタンを押すと、コンピュータ１１は、入力された遺影写真や表示時間、表示時間間隔等の遺影写真データを斎場識別子および葬儀式場識別子に関連付けた状態（遺影写真データに斎場識別子および葬儀式場識別子を設定した状態）でハードディスクに格納した後（遺影写真記憶手段、葬儀情報記憶手段）、図５の指示画面をディスプレイ２０に表示する。遺影写真入力画面においてクリアボタン１２９を押すと、コンピュータ１１は、入力された各データを消去する。キャンセルボタン１３０を押すと、コンピュータ１１は、図４の初期画面をディスプレイ２０に表示する。
【００９２】
図２２は、通夜予定送信画面の一例を示す図であり、図２３は、通夜進行画面の一例を示す図である。それらの入力手続が終わり、各種のデータ（各種葬儀情報）を管理コンピュータ１１に格納した後、通夜および告別式を迎える。このシステム１０を利用した通夜の運営手順の一例を説明すると以下のとおりである。なお、通夜の前日以前に各種葬儀情報をサーバ１２Ａ，１２Ｂに送信する。通夜に関する葬儀情報を送信するには、図４の初期画面において通夜送信ボタン３１を押す。通夜送信ボタン３１を押すと、管理コンピュータ１１は、図２２の通夜予定送信画面をディスプレイ２０に表示する。通夜予定送信面には、図２２に示すように、斎場名や式場名、故人氏名、喪主氏名、通夜年月日が表示された複数の通夜予定表示エリア１３１、実行ボタン１３２、キャンセルボタン１３３が表示される。それら通夜予定表示エリア１３１のうち、通夜を実施するエリア１３１をクリック（プルダウンリストから通夜を選択）してそのエリア１３１を反転させ、実行ボタン１３２を押す。
【００９３】
実行ボタン１３２を押すと、管理コンピュータ１１は、指定（反転）したエリア１３１に対応する故人氏名、喪主氏名、通夜進行予定データ、先頭頁データ、最終頁データ、個人データ、弔辞弔電データ、遺影写真データ等の葬儀情報をハードディスクから抽出し、通夜進行画面をディスプレイ２０に表示する。通夜進行画面には、図２３に示すように、斎場名、式場名、故人氏名、喪主氏名、通夜年月日、通夜進行予定、送信ボタン１３４、キャンセルボタン１３５が表示される。キャンセルボタン１３５を押すと、コンピュータ１１は、図４の初期画面をディスプレイ２０に表示する。
【００９４】
通夜進行画面において送信ボタン１３４を押すと、管理コンピュータ１１は、その通夜進行画面の故人氏名、喪主氏名、通夜進行予定データ、先頭頁データ、最終頁データ、個人データ、弔辞弔電データ、遺影写真データ等の葬儀情報をハードディスクから抽出し、その通夜が行われる斎場のサーバ１２Ａ，１２Ｂにそれら葬儀情報（斎場識別子や葬儀式場識別子、故人喪主識別子を含む）を送信する（通夜進行予定送信手段、個人データ送信手段、弔意弔電送信手段、遺影写真送信手段）。なお、コンピュータ１１は、複数の斎場の複数の葬儀式場における葬儀情報をそれら斎場に設置されたサーバ１２Ａ，１２Ｂに送信する。サーバ１２Ａ，１２Ｂは、コンピュータ１１から通夜に関するそれら葬儀情報を受信し（葬儀情報受信手段）、受信したそれら葬儀情報を各葬儀式場毎に区分した状態（各葬儀情報に斎場識別子および葬儀式場識別子を設定した状態）でハードディスクに格納する（葬儀情報記憶手段）。
【００９５】
サーバ１２Ａ，１２Ｂでは、図示はしていないが、コンピュータ１１から送信された各葬儀情報（故人氏名、喪主氏名、通夜進行予定データ、先頭頁データ、最終頁データ、個人データ、弔辞弔電データ、遺影写真データ）をディスプレイ１３Ａを介して確認することができる（図８、図１２、図１４、図１６、図１７、図１８、図２０援用）。サーバ１２Ａ，１２Ｂは、各葬儀式場識別子から葬儀情報を出力する葬儀式場を特定し、各葬儀式場識別子に対応する通夜進行予定をハードディスクから抽出し、それら通夜進行予定を通夜の各葬儀式場に設置されたディスプレイ１３Ｂに指定表示時間の間だけ表示する（通夜進行予定出力手段、葬儀情報出力手段）（図８援用）。
【００９６】
さらに、サーバ１２Ａ，１２Ｂは、各葬儀式場識別子に対応する複数の遺影写真をハードディスクから抽出し、それら遺影写真を指定された順番、かつ、通夜の日付における指定表示時間の間であって指定時間間隔でデジタルフォトフレーム１５に表示する（遺影写真表示手段、葬儀情報出力手段）。
【００９７】
通夜進行予定の表示時間が経過すると、サーバ１２Ａ，１２Ｂは、各葬儀式場識別子に対応する先頭頁データをハードディスクから抽出し、それら先頭頁を通夜の各葬儀式場に設置されたディスプレイ１３Ｂに指定表示時間の間だけ表示する（葬儀情報表示手段）（図１２援用）。先頭頁の表示時間が経過すると、サーバ１２Ａ，１２Ｂは、各葬儀式場識別子に対応する故人の個人データをハードディスクから抽出し、それら個人データを通夜の各葬儀式場に設置されたディスプレイ１３Ｂに指定された表示時間だけ表示する（個人データ出力手段、葬儀情報出力手段）（図１６〜図１８援用）。
【００９８】
個人データの表示時間が経過すると、サーバ１２Ａ，１２Ｂは、各葬儀式場識別子に対応する弔意弔電データをハードディスクから抽出し、それら弔意弔電を通夜の各葬儀式場に設置されたディスプレイ１３Ｂに指定表示時間の間だけ表示する（弔辞弔電出力手段、葬儀情報出力手段）（図２０援用）。弔意弔電の表示時間が経過すると、サーバ１２Ａ，１２Ｂは、各葬儀式場識別子に対応する最終頁データをハードディスクから抽出し、それら最終頁を通夜の各葬儀式場に設置されたディスプレイ１３Ｂに指定表示時間の間だけ表示する（図１４援用）。さらに、最終頁の表示時間が経過すると、サーバは、ディスプレイ１３Ｂの表示を終了する。
【００９９】
なお、葬儀式場に設置された液晶ディスプレイ１３Ｂやプラズマディプレイ１３Ｂでは、図２に示すように、Ｌ字画面表示が採用されている。Ｌ字画面表示は、画面の左側と下側とをつなげたＬ字静止画表示領域Ｌ１と、残余の表示領域Ｌ２とを有する。Ｌ字静止画表示領域Ｌ１には、たとえば、献花や風景、メッセージ、会葬者一覧、会社名一覧等を表示し、残余領域Ｌ２に葬儀進行予定や先頭頁、個人データ、弔意弔電、最終頁を表示する。
【０１００】
葬儀支援システム１０は、通夜進行予定を通夜における複数の斎場の複数の葬儀式場においてディスプレイ１３Ｂを介して出力するから、通夜に参列した遺族や親族、会葬者に通夜の開始から終了までの時間や通夜において行われる行事の目録、行事の時間等を知らせることができ、通夜の円滑な進行を図ることができる。葬儀支援システム１０は、複数の故人の通夜進行予定をそれら故人の葬儀が行われる各葬儀式場において個別に出力することができ、複数の故人の葬儀が同時に行われる斎場の複数の葬儀式場に対応させた状態で各故人の通夜進行予定を出力することができる。葬儀支援システム１０は、通夜において故人の複数の遺影写真を祭壇に設置されたデジタルフォトフレーム１５に順次表示させることができるから、故人の生前の各種複数の顔を親族や会葬者に見せることができ、親族や会葬者がそれら遺影写真を確認しつつ生前の故人を偲ぶことができる。
【０１０１】
葬儀支援システム１０は、故人の生前におけるプロフィールや経歴、思い出写真等の各種複数の個人データを通夜の進行中に通夜式場においてディスプレイ１３Ｂを介して所定の時間間隔で順次出力するから、故人の生前を知らない親族や会葬者にその故人のプロフィールや経歴、思い出写真等を通夜式場において知らせることができ、親族や会葬者がそれら個人データを確認しつつ生前の故人を偲ぶことができる。葬儀支援システム１０は、個人データとして故人の生前のあらゆる情報を表示することができるから、通夜の演出効果を確実に高めることができ、故人のみならず遺族や親族にとっても最良の通夜を行うことができる。また、弔辞および弔電を通夜の進行中に通夜式場において所定の時間間隔でディスプレイ１３Ｂを介して出力するから、弔辞や弔電を通夜式場において順次照会することができ、葬儀に参列できない人の弔辞や弔電を親族や会葬者に知らせることができる。
【０１０２】
図２４は、通夜用会葬者名簿１６の一例を示す図であり、図２５は、通夜用香典目録１７の一例を示す図である。図２４，２５では、データ入力の図示を省略している。通夜において焼香に訪れた会葬者（親族を含む）は、受付に設置された通夜用会葬者名簿１６（電子ペン専用用紙）に氏名と住所とを記帳するとともに、香典袋を受付担当者に渡す。会葬者名簿１６への氏名や住所の記入は、電子ペン１８によって行われる。なお、使用される電子ペン１８は、葬儀式場識別子に対応する電子ペン識別子を持つそれらである。会葬者名簿１６には、連番が表示されている。電子ペン１８は、氏名および住所の会葬者名簿１６への記帳と同時にそれら氏名および住所を読み取るとともに、氏名および住所が記載された領域の座標によって連番を読み取り、読み取った氏名、住所、連番（電子ペン識別子を含む）を電子データとしてサーバ１２Ａ，１２Ｂに出力する。
【０１０３】
サーバ１２Ａ，１２Ｂは、電子ペン１８から出力された会葬者の氏名および住所を会葬者名簿１６の連番と斎場識別子と葬儀式場識別子とに関連付けた状態（会葬者の氏名および住所に連番、斎場識別子、葬儀式場識別子を設定した状態）で記憶する（氏名住所記憶手段、葬儀情報出力手段）。サーバ１２Ａ，１２Ｂは、会葬者の氏名および住所（会葬者名簿の連番、斎場識別子、葬儀式場識別子を含む）をネットワーク１９を介して管理コンピュータ１１に送信する（氏名住所送信手段、葬儀情報送信手段）。コンピュータ１１は、会葬者の氏名および住所（会葬者名簿の連番、斎場識別子、葬儀式場識別子を含む）をネットワーク１９を介してサーバ１２Ａ，１２Ｂから受信し（氏名住所受信手段、葬儀情報受信手段）、受信した会葬者の氏名および住所を連番と斎場識別子と葬儀式場識別子とに関連付けた状態（会葬者の氏名および住所に連番、斎場識別子、葬儀式場識別子を設定した状態）で記憶する（氏名住所記憶手段、葬儀情報記憶手段）。
【０１０４】
通夜において受付担当者は、会葬者から渡された香典袋から香典を取り出し、その金額を通夜用香典目録１７（電子ペン専用用紙）に記載する。香典目録１７への香典金額の記入は、電子ペン１８によって行われる。香典目録１７には、会葬者名簿１６の連番に対応する連番が表示されている。受付担当者は、香典金額を会葬者名簿１６の連番に対応する連番の記入領域に記入する。電子ペン１８は、香典金額の香典目録１７への記帳と同時にそれら香典金額を読み取るとともに、香典金額が記載された領域の座標によって連番を読み取り、読み取った香典金額、連番（電子ペン識別子を含む）を電子データとしてサーバ１２Ａ，１２Ｂに出力する。
【０１０５】
サーバ１２Ａ，１２Ｂは、電子ペン１８から出力された香典金額を会葬者名簿１６の連番と斎場識別子と葬儀式場識別子とに関連付けた状態（香典金額に連番、斎場識別子、葬儀式場識別子を設定した状態）で記憶する（香典金額記憶手段、葬儀情報出力手段）。サーバ１２Ａ，１２Ｂは、香典金額（会葬者名簿の連番、斎場識別子、葬儀式場識別子を含む）をネットワーク１９を介して管理コンピュータ１１に送信する（香典金額送信手段、葬儀情報送信手段）。コンピュータ１１は、香典金額（会葬者名簿の連番、斎場識別子、葬儀式場識別子を含む）をネットワーク１９を介してサーバ１２Ａ，１２Ｂから受信し（香典金額受信手段、葬儀情報受信手段）、受信した香典金額を連番と斎場識別子と葬儀式場識別子とに関連付けた状態（香典金額に連番、斎場識別子、葬儀式場識別子を設定した状態）で記憶する（香典金額記憶手段、葬儀情報記憶手段）。
【０１０６】
図２６は、告別式予定送信画面の一例を示す図であり、図２７は、告別式進行画面の一例を示す図である。このシステム１０を利用した告別式の運営手順の一例を説明すると以下のとおりである。通夜の前日以前に告別式に関する葬儀情報を送信するには、図４の初期画面において告別式送信ボタン３２を押す。告別式送信ボタン３２を押すと、管理コンピュータ１１は、図２６に示す告別式予定送信画面をディスプレイ２０に表示する。告別式予定送信画面には、図２６に示すように、斎場名や式場名、故人氏名、喪主氏名、告別式年月日が表示された複数の告別式予定表示エリア１３６、実行ボタン１３７、キャンセルボタン１３８が表示される。それら告別式予定表示エリア１３６のうち、告別式を実施するエリア１３６をクリック（プルダウンリストから告別式を選択）してそのエリア１３６を反転させ、実行ボタン１３７を押す。
【０１０７】
実行ボタン１３７を押すと、管理コンピュータ１１は、指定（反転）したエリア１３６に対応する故人氏名、喪主氏名、告別式進行予定データ、先頭頁データ、最終頁データ、個人データ、弔辞弔電データ、遺影写真データ等の葬儀情報をハードディスクから抽出し、通夜進行画面をディスプレイ２０に表示する。告別式進行画面には、図２７に示すように、斎場名、式場名、故人氏名、喪主氏名、告別式年月日、告別式進行予定、送信ボタン１３９、キャンセルボタン１４０が表示される。キャンセルボタン１４０を押すと、コンピュータ１１は、図４の初期画面をディスプレイ２０に表示する。
【０１０８】
告別式進行画面において送信ボタン１３７を押すと、管理コンピュータ１１は、その告別式進行画面の故人氏名、喪主氏名、告別式進行予定データ、先頭頁データ、最終頁データ、個人データ、弔辞弔電データ、遺影写真データ等の葬儀情報をハードディスクから抽出し、その告別式が行われる斎場のサーバ１２Ａ，１２Ｂにそれら葬儀情報（斎場識別子や葬儀式場識別子、故人喪主識別子を含む）を送信する（告別式進行予定送信手段、個人データ送信手段、弔意弔電送信手段、遺影写真送信手段）。なお、コンピュータ１１は、複数の斎場の複数の葬儀式場における葬儀情報をそれら斎場に設置されたサーバ１２Ａ，１２Ｂに送信する。サーバ１２Ａ，１２Ｂは、コンピュータ１１からそれら葬儀情報を受信し（葬儀情報受信手段）、受信したそれら葬儀情報を各葬儀式場の毎に区分した状態（各葬儀情報に斎場識別子および葬儀式場識別子を設定した状態）でハードディスクに格納する（葬儀情報記憶手段）。
【０１０９】
サーバ１２Ａ，１２Ｂでは、図示はしていないが、コンピュータ１１から送信された各葬儀情報（故人氏名、喪主氏名、告別式進行予定データ、先頭頁データ、最終頁データ、個人データ、弔辞弔電データ、遺影写真データ）をディスプレイ１３Ａを介して確認することができる（図１０、図１２、図１４、図１６、図１７、図１８、図２０援用）。サーバ１２Ａ，１２Ｂは、各葬儀式場識別子から葬儀情報を出力する葬儀式場を特定し、各葬儀式場識別子に対応する告別式進行予定をハードディスクから抽出し、それら告別式進行予定を告別式の各葬儀式場に設置されたディスプレイ１３Ｂに指定表示時間の間だけ表示する（告別式進行予定出力手段、葬儀情報出力手段）（図１０援用）。
【０１１０】
さらに、サーバ１２Ａ，１２Ｂは、各葬儀式場識別子に対応する複数の遺影写真をハードディスクから抽出し、それら遺影写真を指定された順番、かつ、告別式の日付における指定表示時間の間であって指定時間間隔でデジタルフォトフレーム１５に表示する（遺影写真表示手段、葬儀情報出力手段）。
【０１１１】
告別式進行予定の表示時間が経過すると、サーバ１２Ａ，１２Ｂは、各葬儀式場識別子に対応する先頭頁データをハードディスクから抽出し、それら先頭頁を告別式の各葬儀式場に設置されたディスプレイ１３Ｂに指定表示時間の間だけ表示する（葬儀情報表示手段）（図１２援用）。先頭頁の表示時間が経過すると、サーバ１２Ａ，１２Ｂは、各葬儀式場識別子に対応する故人の個人データをハードディスクから抽出し、それら個人データを告別式の各葬儀式場に設置されたディスプレイ１３Ｂに指定された表示時間だけ表示する（個人データ出力手段、葬儀情報出力手段）（図１６〜図１８援用）。
【０１１２】
個人データの表示時間が経過すると、サーバ１２Ａ，１２Ｂは、各葬儀式場識別子に対応する弔意弔電データをハードディスクから抽出し、それら弔意弔電を告別式の各葬儀式場に設置されたディスプレイ１３Ｂに指定表示時間の間だけ表示する（弔辞弔電出力手段、葬儀情報出力手段）（図２０援用）。弔意弔電の表示時間が経過すると、サーバ１２Ａ，１２Ｂは、各葬儀式場識別子に対応する最終頁データをハードディスクから抽出し、それら最終頁を告別式の各葬儀式場に設置されたディスプレイ１３Ｂに指定表示時間の間だけ表示する（図１４援用）。さらに、最終頁の表示時間が経過すると、コンピュータ１１は、ディスプレイ１３Ｂの表示を終了する。なお、液晶ディスプレイ１３Ｂやプラズマディプレイ１３Ｂでは、Ｌ字画面表示が採用されている（図２参照）。
【０１１３】
葬儀支援システム１０は、各葬儀式場によって異なる告別式進行予定を告別式における複数の斎場の複数の葬儀式場においてディスプレイ１３Ｂを介して出力するから、告別式に参列した遺族や親族、会葬者に告別式の開始から終了までの時間や告別式において行われる行事の目録、行事の時間等を知らせることができ、告別式の円滑な進行を図ることができる。葬儀支援システム１０は、複数の故人の告別式進行予定をそれら故人の葬儀が行われる各葬儀式場において個別に出力することができ、複数の故人の葬儀が同時に行われる斎場の複数の葬儀式場に対応させた状態で各故人の告別式進行予定を出力することができる。葬儀支援システム１０は、告別式において故人の複数の遺影写真を祭壇に設置されたデジタルフォトフレーム１５に順次表示させることができるから、故人の生前の各種複数の顔を親族や会葬者に見せることができ、親族や会葬者がそれら遺影写真を確認しつつ生前の故人を偲ぶことができる。
【０１１４】
葬儀支援システム１０は、故人の生前におけるプロフィールや経歴、思い出写真等の各種複数の個人データを告別式の進行中に告別式式場においてディスプレイ１３Ｂを介して所定の時間間隔で順次出力するから、故人の生前を知らない親族や会葬者にその故人のプロフィールや経歴、思い出写真等を告別式式場において知らせることができ、親族や会葬者がそれら個人データを確認しつつ生前の故人を偲ぶことができる。葬儀支援システム１０は、個人データとして故人の生前のあらゆる情報を表示することができるから、告別式の演出効果を確実に高めることができ、故人のみならず遺族や親族にとっても最良の告別式を行うことができる。また、弔辞および弔電を告別式の進行中に告別式式場において所定の時間間隔でディスプレイ１３Ｂを介して出力するから、弔辞や弔電を告別式式場において順次照会することができ、葬儀に参列できない人の弔辞や弔電を親族や会葬者に知らせることができる。
【０１１５】
葬儀支援システム１０は、各斎場毎に管理コンピュータ１１を設置する必要はなく、運営者側に設置されたコンピュータ１１のみを使用し、各故人の葬儀情報（故人氏名、喪主氏名、通夜進行予定データ、告別式進行予定データ、先頭頁データ、最終頁データ、個人データ、弔辞弔電データ、遺影写真データ）を一元的に管理することができるとともに、それら葬儀情報をネットワーク１９を介して斎場内の複数の葬儀式場に設置されたサーバ１２Ａ，１２Ｂに送信することができ、複数の斎場の複数の葬儀式場において各故人の葬儀情報を同時かつ個別に出力することができる。葬儀支援システム１０は、複数の葬儀式場においてそれら葬儀式場に対応する複数の故人の葬儀情報を出力することができ、複数の葬儀が同時に行われる斎場に最適に利用することができる。
【０１１６】
図２８は、告別式用会葬者名簿１６の一例を示す図であり、図２９は、告別式用香典目録１７の一例を示す図である。図２８，２９では、データ入力の図示を省略している。告別式において焼香に訪れた会葬者（親族を含む）は、受付に設置された告別式用会葬者名簿１６（電子ペン専用用紙）に氏名と住所とを記帳する。さらに、初めて焼香に訪れた会葬者は、香典袋を受付担当者に渡す。会葬者名簿１６への氏名や住所の記入は、電子ペン１８によって行われる。なお、使用される電子ペン１８は、葬儀式場識別子に対応する電子ペン識別子を持つそれらである。会葬者名簿１６には、連番が表示されている。電子ペン１８は、氏名および住所の会葬者名簿１６への記帳と同時にそれら氏名および住所を読み取るとともに、氏名および住所が記載された領域の座標によって連番を読み取り、読み取った氏名、住所、連番（電子ペン識別子を含む）を電子データとしてサーバ１２Ａ，１２Ｂに出力する。
【０１１７】
サーバ１２Ａ，１２Ｂは、電子ペン１８から出力された会葬者の氏名および住所を会葬者名簿１６の連番と斎場識別子と葬儀式場識別子とに関連付けた状態（会葬者の氏名および住所に連番、斎場識別子、葬儀式場識別子を設定した状態）で記憶する（氏名住所記憶手段、葬儀情報出力手段）。サーバ１２Ａ，１２Ｂは、会葬者の氏名および住所（会葬者名簿の連番、斎場識別子、葬儀式場識別子を含む）をネットワーク１９を介して管理コンピュータ１１に送信する（氏名住所送信手段、葬儀情報送信手段）。コンピュータ１１は、会葬者の氏名および住所（会葬者名簿の連番、斎場識別子、葬儀式場識別子を含む）をネットワーク１９を介してサーバ１２Ａ，１２Ｂから受信し（氏名住所受信手段、葬儀情報受信手段）、受信した会葬者の氏名および住所を連番と斎場識別子と葬儀式場識別子とに関連付けた状態（会葬者の氏名および住所に連番、斎場識別子、葬儀式場識別子を設定した状態）で記憶する（氏名住所記憶手段、葬儀情報出力手段）。
【０１１８】
告別式において受付担当者は、会葬者から渡された香典袋から香典を取り出し、その金額を告別式用香典目録１７（電子ペン専用用紙）に記載する。香典目録１７への香典金額の記入は、電子ペン１８によって行われる。香典目録１７には、会葬者名簿１６の連番に対応する連番が表示されている。受付担当者は、香典金額を会葬者名簿１６の連番に対応する連番の記入領域に記入する。電子ペン１８は、香典金額の香典目録１７への記帳と同時にそれら香典金額を読み取るとともに、香典金額が記載された領域の座標によって連番を読み取り、読み取った香典金額、連番（電子ペン識別子を含む）を電子データとしてサーバ１２Ａ，１２Ｂに出力する。
【０１１９】
サーバ１２Ａ，１２Ｂは、電子ペン１８から出力された香典金額を会葬者名簿１６の連番と斎場識別子と葬儀式場識別子とに関連付けた状態（香典金額に連番、斎場識別子、葬儀式場識別子を設定した状態）で記憶する（香典金額記憶手段、葬儀情報出力手段）。サーバ１２Ａ，１２Ｂは、香典金額（会葬者名簿の連番、斎場識別子、葬儀式場識別子を含む）をネットワーク１９を介して管理コンピュータ１１に送信する（香典金額送信手段、葬儀情報送信手段）。コンピュータ１１は、香典金額（会葬者名簿の連番、斎場識別子、葬儀式場識別子を含む）をネットワーク１９を介してサーバ１２Ａ，１２Ｂから受信し（香典金額受信手段、葬儀情報受信手段）、受信した香典金額を連番と斎場識別子と葬儀式場識別子とに関連付けた状態（香典金額に連番、斎場識別子、葬儀式場識別子を設定した状態）で記憶する（香典金額記憶手段、葬儀情報記憶手段）。
【０１２０】
図３０は、会葬者台帳１４１の一例を示す図である。図３０では、データ表示の図示を省略している。通夜が終了した後、または、告別式が終了した後に会葬者台帳１４１を作成するには、図５の指示画面において故人氏名と喪主氏名との少なくとも一方を入力し、会葬者台帳作成項目４４をクリックして会葬者台帳作成４４を反転させ、実行ボタン４９を押す。実行ボタン４９を押すと、コンピュータ１１は、入力された故人氏名や喪主氏名の故人喪主識別子（斎場意識別子や葬儀式場識別子を含む）に対応する会葬者の氏名および住所をハードディスクから抽出し、抽出したそれら氏名および住所を所定形式の会葬者台帳ひな型に表記して会葬者台帳１４１を作成し（会葬者台帳作成手段）、作成した会葬者台帳１４１を故人喪主識別子（斎場意識別子や葬儀式場識別子を含む）に関連付けた状態でハードディスクに格納する（会葬者台帳記憶手段）。
【０１２１】
なお、コンピュータ１１は、通夜および告別式の双方に出席し、通夜用会葬者名簿１６や告別式用会葬者名簿１６に氏名や住所の記載がある場合、重複した氏名や住所の一方を削除して会葬者台帳１４１を作成する。また、コンピュータ１１は、通夜における会葬者台帳１４１を作成し、告別式における会葬者台帳１４１を別々に作成することもできる。会葬者台帳１４１への会葬者の並び順は、アイウエオ順やアルファベット順、会葬者名簿１６の連番順等自由に変更することができる。
【０１２２】
管理コンピュータ１１は、作成した会葬者台帳１４１をネットワーク１９を介して各斎場に設置されたサーバ１２Ａ，１２Ｂに送信する（会葬者台帳送信手段）。サーバ１２Ａ，１２Ｂは、コンピュータ１１から送信された会葬者台帳１４１を故人喪主識別子（斎場意識別子や葬儀式場識別子を含む）に関連付けた状態でハードディスクに格納する（会葬者台帳記憶手段）。
【０１２３】
図５の指示画面において故人氏名と喪主氏名との少なくとも一方を入力した後、会葬者台帳表示項目４６をクリックして会葬者台帳表示４６を反転させ、実行ボタン４９を押すと、コンピュータ１１は、入力された故人氏名や喪主氏名の故人喪主識別子（斎場意識別子や葬儀式場識別子を含む）に対応する会葬者台帳１４１をハードディスクから抽出し、抽出した会葬者台帳１４１をディスプレイ２０に表示するとともに（会葬者台帳出力手段）、印刷指示の入力によってプリンタ２１から会葬者台帳１４１を出力する（会葬者台帳出力手段）。プリンタ２１から出力された会葬者台帳１４１は、運営者から各斎場に送付される。
【０１２４】
コンピュータ１１から会葬者台帳１４１の送信を受けたサーバ１２Ａ，１２Ｂは、故人氏名と喪主氏名との少なくとも一方が指定された場合、指定された故人氏名や喪主氏名の故人喪主識別子（斎場意識別子や葬儀式場識別子を含む）に対応する会葬者台帳１４１をハードディスクから抽出し、抽出した会葬者台帳１４１をディスプレイ１３Ａに表示するとともに（会葬者台帳出力手段）、印刷指示の入力によってプリンタ１４から会葬者台帳１４１を出力する（会葬者台帳出力手段）。作成および出力された会葬者台帳１４１には、図３０に示すように、故人氏名や喪主氏名が表示され、連番とともに名前表示エリアに会葬者の名前が表示されるとともに、住所表示エリアに会葬者の住所が表示される。
【０１２５】
葬儀支援システム１０は、受付担当者等が会葬者名簿１６に記帳された親族や会葬者の氏名や住所を別途書き写すことなく、それら親族や会葬者の氏名や住所を表示した会葬者台帳１４１が作成されるから、受付担当者等の会葬者台帳作成の手間を省くことができ、葬儀における受付業務の簡素化を図ることができる。また、受付担当者等が会葬者名簿１６に記帳された親族や会葬者の氏名や住所を別途書き写すことによる記載ミスを防ぐことができる。
【０１２６】
図３１，３２は、葬儀台帳１４２，１４３の一例を示す図である。図３１，３２では、データ表示の図示を省略している。通夜が終了した後、または、告別式が終了した後に葬儀台帳１４２，１４３を作成するには、図５の指示画面において故人氏名と喪主氏名との少なくとも一方を入力し、葬儀台帳作成項目４３をクリックして葬儀台帳作成４３を反転させ、実行ボタン４９を押す。実行ボタン４９を押すと、コンピュータ１１は、入力された故人氏名や喪主氏名の故人喪主識別子（斎場意識別子や葬儀式場識別子を含む）に対応する先頭頁、通夜進行予定、告別式進行予定、個人データ、最終頁、弔意および弔辞をハードディスクから抽出し、抽出したそれら先頭頁、通夜進行予定、告別式進行予定、個人データ、最終頁、弔意および弔辞を所定形式の葬儀台帳ひな型に表記して葬儀台帳１４２を作成し（葬儀台帳作成手段）、作成した葬儀台帳１４２を故人喪主識別子（斎場意識別子や葬儀式場識別子を含む）に関連付けた状態でハードディスクに格納する（葬儀台帳記憶手段）。
【０１２７】
管理コンピュータ１１は、作成した葬儀台帳１４２，１４３をネットワーク１９を介して各斎場に設置されたサーバ１２Ａ，１２Ｂに送信する（葬儀台帳送信手段）。サーバ１２Ａ，１２Ｂは、コンピュータ１１から送信された葬儀台帳１４２，１４３を故人喪主識別子（斎場意識別子や葬儀式場識別子を含む）に関連付けた状態でハードディスクに格納する（葬儀台帳記憶手段）。
【０１２８】
図５の指示画面において故人氏名と喪主氏名との少なくとも一方を入力した後、葬儀台帳表示項目４７をクリックして葬儀台帳表示４７を反転させ、実行ボタン４９を押すと、コンピュータ１１は、入力された故人氏名や喪主氏名の故人喪主識別子（斎場意識別子や葬儀式場識別子を含む）に対応する葬儀台帳１４２，１４３をハードディスクから抽出し、抽出した葬儀台帳１４２，１４３をディスプレイ２０に表示するとともに（葬儀台帳出力手段）、印刷指示の入力によってプリンタ２１から葬儀台帳を出力する（葬儀台帳出力手段）。プリンタ２１から出力された葬儀台帳１４２，１４３は、運営者から各斎場に送付される。
【０１２９】
コンピュータ１１から葬儀台帳１４２，１４３の送信を受けたサーバ１２Ａ，１２Ｂは、故人氏名と喪主氏名との少なくとも一方が指定された場合、指定された故人氏名や喪主氏名の故人喪主識別子（斎場意識別子や葬儀式場識別子を含む）に対応する葬儀台帳１４２，１４３をハードディスクから抽出し、抽出した葬儀台帳１４２をディスプレイ１３Ａに表示するとともに（葬儀台帳出力手段）、印刷指示の入力によってプリンタ１４から葬儀台帳１４２，１４３を出力する（葬儀台帳出力手段）。作成および出力された葬儀台帳１４２，１４３には、図３１に示すように、故人氏名や喪主氏名が表示され、葬儀に使用した先頭頁や通夜進行予定、告別式進行予定、個人データが表示される。また、図３２に示すように、送られた弔辞および弔電が表示される。
【０１３０】
葬儀支援システム１０は、各種の個人データや弔辞および弔電を表示した故人の葬儀台帳１４２，１４３を作成し、作成した葬儀台帳１４２，１４３を出力するから、葬儀に用いた故人のプロフィールや経歴、思い出写真等の個人データ、弔辞や弔電を葬儀台帳１４２，１４３に纏めることで、故人の葬儀における思い出を作ることができるとともに、故人の葬儀履歴を残すことができる。この葬儀支援システム１０は、故人の個人データを表示した葬儀台帳１４２，１４３を御霊前や御仏前に供え、故人の冥福を祈りつつ、故人の供養に供することができる。
【０１３１】
図３３は、香典台帳１４４の一例を示す図である。図３３では、データ表示の図示を省略している。通夜が終了した後、または、告別式が終了した後に香典台帳１４４を作成するには、図５の指示画面において故人氏名と喪主氏名との少なくとも一方を入力し、香典台帳作成項目４５をクリックして香典台帳作成４５を反転させ、実行ボタン４９を押す。実行ボタン４９を押すと、コンピュータ１１は、入力された故人氏名や喪主氏名の故人喪主識別子（斎場意識別子や葬儀式場識別子を含む）と会葬者名簿の連番とに関連付けされた香典金額をハードディスクから抽出し、抽出したそれら香典金額の合計金額を計算するとともに、それら香典金額を金額毎に区分し、香典金額や合計金額、氏名、住所を所定形式の香典台帳ひな型に表記して香典台帳１４４を作成する（香典台帳作成手段）。コンピュータ１１は、作成した香典台帳１４４を故人喪主識別子（斎場意識別子や葬儀式場識別子を含む）に関連付けた状態でハードディスクに格納する（香典台帳記憶手段）。
【０１３２】
管理コンピュータ１１は、作成した香典台帳１４４をネットワーク１９を介して各斎場に設置されたサーバ１２Ａ，１２Ｂに送信する（香典台帳送信手段）。サーバ１２Ａ，１２Ｂは、コンピュータ１１から送信された香典台帳１４４を故人喪主識別子（斎場意識別子や葬儀式場識別子を含む）に関連付けた状態でハードディスクに格納する（香典台帳記憶手段）。
【０１３３】
図５の指示画面において故人氏名と喪主氏名との少なくとも一方を入力した後、香典台帳表示項目４８をクリックして香典台帳表示４８を反転させ、実行ボタン４９を押すと、コンピュータ１１は、入力された故人氏名や喪主氏名の故人喪主識別子（斎場意識別子や葬儀式場識別子を含む）に対応する香典台帳１４４をハードディスクから抽出し、抽出した香典台帳１４４をディスプレイ２０に表示するとともに（香典台帳出力手段）、印刷指示の入力によってプリンタ２１から香典台帳１４４を出力する（香典台帳出力手段）。プリンタから出力された香典台帳１４４は、運営者から各斎場に送付される。
【０１３４】
コンピュータ１１から香典台帳１４４の送信を受けたサーバ１２Ａ，１２Ｂは、故人氏名と喪主氏名との少なくとも一方が指定された場合、指定された故人氏名や喪主氏名の故人喪主識別子（斎場意識別子や葬儀式場識別子を含む）に対応する香典台帳１４４をハードディスクから抽出し、抽出した香典台帳１４４をディスプレイ１３Ａに表示するとともに（香典台帳出力手段）、印刷指示の入力によってプリンタ１４から香典台帳１４４を出力する（香典台帳出力手段）。作成および出力された香典台帳１４４には、図３３に示すように、故人氏名や喪主氏名が表示され、金額毎に区分された各香典表示エリアに会葬者の名前と住所が表示されるとともに、合計金額表示エリアに香典の合計金額が表示される。
【０１３５】
葬儀支援システム１０は、受付担当者等が香典金額合計を別途計算する必要はなく、香典台帳１４４に香典金額合計が表示されるから、受付担当者等の香典金額計算の手間を省くことができ、葬儀における受付業務の簡素化を図ることができる。この葬儀支援システム１０は、香典台帳１４４に香典を金額毎に区分した香典内訳が表示されるから、受付担当者等が香典をその金額毎に別途仕訳する必要はなく、受付担当者等の金額毎の香典仕分け作業の手間を省くことができる。
【符号の説明】
【０１３６】
１０    葬儀支援システム
１１    管理コンピュータ
１２Ａ  サーバ（斎場サーバ）
１２Ｂ  サーバ（斎場サーバ）
１３Ａ  ディスプレイ（出力装置）
１３Ｂ  ディスプレイ（出力装置）
１４    プリンタ（出力装置）
１５    デジタルフォトフレーム
１６    会葬者名簿（電子ペン対応用紙）
１７    香典目録（電子ペン対応用紙）
１８    電子ペン（デジタルペン）
１９    ネットワーク
２０    ディスプレイ
２１    プリンタ
１４１  会葬者台帳
１４２  葬儀台帳
１４３  葬儀台帳
１４４  香典台帳
【図１】
2011172846.tif 000003
【図２】
2011172846.tif 000004
【図３】
2011172846.tif 000005
【図４】
2011172846.tif 000006
【図５】
2011172846.tif 000007
【図６】
2011172846.tif 000008
【図７】
2011172846.tif 000009
【図８】
2011172846.tif 000010
【図９】
2011172846.tif 000011
【図１０】
2011172846.tif 000012
【図１１】
2011172846.tif 000013
【図１２】
2011172846.tif 000014
【図１３】
2011172846.tif 000015
【図１４】
2011172846.tif 000016
【図１５】
2011172846.tif 000017
【図１６】
2011172846.tif 000018
【図１７】
2011172846.tif 000019
【図１８】
2011172846.tif 000020
【図１９】
2011172846.tif 000021
【図２０】
2011172846.tif 000022
【図２１】
2011172846.tif 000023
【図２２】
2011172846.tif 000024
【図２３】
2011172846.tif 000025
【図２４】
2011172846.tif 000026
【図２５】
2011172846.tif 000027
【図２６】
2011172846.tif 000028
【図２７】
2011172846.tif 000029
【図２８】
2011172846.tif 000030
【図２９】
2011172846.tif 000031
【図３０】
2011172846.tif 000032
【図３１】
2011172846.tif 000033
【図３２】
2011172846.tif 000034
【図３３】
2011172846.tif 000035